(57)【要約】【課題】ワイヤレスリンクを用いた、他の複数のコミュニケーションデバイスと通信するためのコミュニケーションデバイスを提供する。【解決手段】光クロック基準およセット内の送信側コミュニケーションデバイスまたは並行して送信されるストリームの数に従って、サブキャリアの数または時間スロットを使用して、個別の参照信号を提供し、送信側コミュニケーションデバイスのセット全体の中の個々のコミュニケーションデバイスに関連付けられた識別番号に従って、または特定のストリームまたは送信器を特定する識別番号に依存して、前記時間スロットにおけるサブキャリアまたは信号の位置を定め、複数の受信側コミュニケーションデバイスが前記コミュニケーションデバイスセット全体の中の個々のコミュニケーションデバイスからもたらされる、または特定のストリームまたは送信器に関連付けられた信号を識別することができるようになる参照信号を送信するように構成されている。【選択図】図１
2020532899.tif 000002
【特許請求の範囲】
【請求項１】
無線リンク（２１８）を使用して他の複数のコミュニケーションデバイス（１１０、１２０、２１４、２１６）と通信するためのコミュニケーションデバイス（１４１０、１２０、２１４、２１６）であって、
前記コミュニケーションデバイスは、
光クロック基準（１４３）およびセット内の送信側コミュニケーションデバイスまたは並行して送信されるストリームの数（１４４）に従って、サブキャリア（Ｓ1−Ｓ8）の数または時間スロットを使用して、個別の参照信号（１３１’、１３１’’、１４２）を提供し、
送信側コミュニケーションデバイスのセット全体の中の個々のコミュニケーションデバイスに関連付けられた識別番号に従って、または特定のストリームまたは送信器を特定する識別番号（１４５）に依存して、時間スロットにおけるサブキャリアまたは信号の位置を定め、
複数の受信側コミュニケーションデバイスがコミュニケーションデバイスセット全体の中の前記個々のコミュニケーションデバイスからもたらされる、または特定のストリームまたは送信器に関連付けられた前記信号を識別することができるようになる前記参照信号を送信する
ように構成されていることを特徴とする、
コミュニケーションデバイス（１１０、１２０、２１４、２１６）。
【請求項２】
少なくとも１つの参照信号は、ヘッダ（３１２）が前記デバイスまたはデータストリームまたは送信器に関連付けられた特定のアナログ波形を含む一方で、残りのヘッダが異なるデバイス間で共有される共通の変調フォーマットを使用して送信されるように構成される、および／または、前記デバイスは異なる送信器を用いて異なる特定のアナログ波形を送信するように構成されていることを特徴とする、
請求項１に記載のデバイス。
【請求項３】
時間領域において直交する複数の波形から特定の波形を選択し、データストリームまたは送信器に関連付けられた前記特定のアナログ波形を送信されるように構成されていることを特徴とする、請求項１または２に記載のデバイス。
【請求項４】
特定のデバイスまたは特定のデータストリームまたは特定の送信機を識別するインデックス（ｉ）に依存して、相互に直交する複数のシーケンスのセットからシーケンスを選択し、
アダマール行列の選択された行または列から前記特定のアナログ波形を導出するように構成されることを特徴とする、
請求項１〜３のいずれかに記載のデバイス。
【請求項５】
前記相互に直交する複数のシーケンスのセットはアダマール行列に関連付けられ、前記アダマール行列は以下のように定義される、
2020532899.tif 000028
【請求項６】
前記選択された行または列から前記デバイス特有のアナログ波形を導出するときに、前記選択された行または列におけるＤＣコンポーネントを削減する、及び／または、前記選択された行または列から前記特有のアナログ波形を導出するときに、前記選択された行または列を基礎シーケンスと結合するように構成されることを特徴とする、
請求項５に記載のデバイス。
【請求項７】
前記シーケンスに周期的なプレフィックスを挿入するように構成されることを特徴とする、
請求項１〜６のいずれかに記載のデバイス。
【請求項８】
別のデバイスにより提供された時間ドメイン信号、または異なるインデックスに関連付けられた時間ドメイン信号に対して時間ドメインにおいて直交する時間ドメイン信号を得るように構成されることを特徴とする、
請求項１〜７のいずれかに記載のデバイス。
【請求項９】
周波数ドメインにおいて直交する複数の波形から特有の波形を選択するように構成されることを特徴とする、
請求項１〜８のいずれかに記載のデバイス。
【請求項１０】
ＯＣＲならびにコミュニケーションデバイス及び／又は送信器及び／又はストリームの数に依存して、疑似ノイズシーケンスを選択し、
前記ＯＣＲおよび／または前記セット内の送信側コミュニケーションデバイスの数または並行して送信されるストリームの数から前記特有の波形を導出するために、選択された前記疑似ノイズシーケンスからスペクトル値のセットを導出するように構成されることを特徴とする、
請求項１〜９のいずれかに記載のデバイス。
【請求項１１】
前記疑似ノイズシーケンスはＡLシーケンスであって、且つ、
Ａ1＝  ［１］
Ａ2 ＝  ［０  １］
Ａ4 ＝  ［０  １  ０  １］
Ａ8 ＝  ［０  ０  １  ０  １  １  ０  １］
Ａ16 ＝  ［０  ０  ０  １  ０  １  ０  ０  １  １  ０  １  １  １  ０  １］
Ａ32 ＝  ［０  ０  ０  ０  １  １０  ０  １  ０  １  １  ０  １  １  １  １  ０  １  ０  １  ０  ０  ０  １  ０  ０  １  １  １  ０  １］
Ａ64 ＝  ［０  ０  ０  ０  ０  １  ０  １  ０  １  ０  ０  １  １  ０  ０  １  ０  ０  ０  １  ０  ０  １  ０  １  １  ０  １  １  ０  ０  ０  １  １  １  ０  １  ０  ０  ０  ０  １  １  ０  １  ０  １  １  １  ０  ０  １  １  １  １  ０  １  １  １  １  １  ０  １］
Ａ128 ＝  ［  ０  ０  ０  ０  ０  ０  １  １  １  ０  ０  ０  １  ０  ０  １  １  １  ０  １  ０  １  １  ０  １  ０  ０  ０  ０  ０  １  ０  １  ０  １  ０  １  １  １  １  ０  １  ０  ０  １  ０  ０  ０  ０  １  １  ０  ０  ０  １  １  ０  １  ０  １  ０  ０  １  １  ０  ０  １  １  １  １  １  ０  ０  １  ０  ０  １  ０  １  ０  ０  ０  １  ０  １  １  １  ０  ０  １  １  ０  １  １  １  ０  １  １  １  １  １  １  ０  １  １  ０  １  １  ０  ０  １  ０  １  １  ０  ０  ０  ０  １  ０  ０  ０  １  １  １  １  ０  １］
Ａ256 ＝  ［  ０  ０  ０  ０  ０  ０  ０  １  １  ０  １  １  １  １  ０  １  ０  １  １  ０  ０  ０  ０  ０  １  ０  １  ０  １  ０  １  ０  ０  ０  １  １  １  １  １  ０  ０  １  １  １  ０  １  ０  １  ０  ０  １  １  ０  ０  １  １  ０  １  ０  ０  ０  ０  ０  ０  １  ０  ０  ０  ０  １  １  ０  ０  １  ０  ０  ０  １  ０  ０  ０  １  １  ０  １  ０  １  ０  １  １  ０  １  ０  １  １  １  ０  １  １  ０  １  ０  ０  １  ０  １  １  １  ０  ０  １  １  ０  ０  ０  １  １  ０  ０  ０  ０  １  １  １  ０  ０  １  ０  ０  １  １  １  １  ０  １  １  １  ０  １  ０  ０  ０  １  ０  １  ０  ０  ０  ０  １  ０  ０  １  ０  ０  ０  ０  ０  １  １  １  １  ０  ０  １  ０  １  １  ０  ０  １  ０  １  ０  ０  １  ０  ０  １  ０  １  ０  １  １  １  １  １  ０  １  １  ０  ０  ０  １  ０  ０  １  １  ０  １  １  ０  １  １  ０  ０  １  １  １  １  １  １  ０  ０  ０  １  ０  １  １  ０  １  １  １  ０  ０  ０  １  １  １  ０  １  １  １  １  １  １  １  ０  １  ０  ０  １  １  １  ０  ０  ０  ０  １  ０  １  １  １  １  ０  １］
Ａ512 ＝  ［  ０  ０  ０  ０  ０  ０  ０  ０  １  １  １  １  ０  ０  ０  ０  １  ０  ０  ０  １  １  １  １  ０  １  ０  ０  １  １  ０  ０  １  ０  ０  １  ０  ０  ０  ０  １  ０  １  １  １  １  ０  ０  ０  １  １  ０  ０  １  １  １  １  ０  １  １  ０  １  １  １  ０  １  ０  １  ０  ０  ０  １  ０  １  ０  ０  ０  ０  １  １  ０  １  １  ０  １  ０  ０  ０  １  １  ０  ０  ０  １  １  １  １  １  １  ０  ０  ０  １  ０  ０  ０  １  ０  １  １  ０  ０  ０  ０  １  ０  １  ０  １  １  ０  １  ０  １  １  １  １  １  １  ０  １  ０  １  ０  １  ０  １  ０  ０  ０  ０  ０  １  ０  １  ０  ０  １  ０  １  １  １  １  １  ０  ０  １  ０  ０  ０  １  ０  ０  １  ０  ０  １  ０  １  ０  ０  １  １  １  １  １  ０  １  ０  ０  ０  １  ０  ０  ０  ０  ０  １  １  １  ０  ０  ０  ０  １  １  ０  ０  １  ０  １  １  ０  ０  １  ０  １  ０  ０  ０  １  １  １  ０  ０  １  ０  １  １  １  ０  １  ０  ０  ０  ０  ０  ０  ０  １  ０  １  １  ０  １  ０  ０  １  １  １  ０  １  ０  １  １  ０  ０  １  １  １  ０  ０  １  １  １  １  １  １  １  ０  ０  １  １  ０  ０  １  １  ０  １  ０  １  ０  ０  １  １  ０  １  １  ０  ０  ０  ０  ０  ０  １  ０  ０  １  ０  １  １  ０  １  １  ０  １  １  ０  ０  １  ０  ０  ０  ０  ０  ０  １  １  ０  １  ０  ０  １  ０  １  ０  １  １  １  １  ０  １  ０  １  １  １  ０  １  １  ０  ０  ０  １  ０  ０  １  １  ０  １  ０  ０  ０  ０  １  ０  ０  １  １  １  １  ０  ０  １  ０  １  ０  １  ０  １  １  ０  ０  ０  １  １  ０  １  １  １  １  ０  ０  １  １  １  ０  １  １  １  １  ０  １  １  １  １  １  １  １  １  ０  １  １  １  ０  １  １  １  ０  ０  １  １  ０  １  １  １  ０  ０  ０  １  ０  １  ０  １  ０  ０  １  ０  ０  １  １  １  ０  ０  ０  １  １  １  ０  １  １  ０  １  ０  １  ０  １  １  １  ０  ０  １  ０  ０  １  １  ０  ０  ０  ０  ０  １  １  ０  ０  ０  ０  １  １  １  ０  １  ０  ０  １  ０  ０  ０  １  １  ０  １  ０  １  １  ０  １  １  １  １  １  ０  １  １  ０  ０  １  １  ０  ０  ０  １  ０  １  １  １  ０  ０  ０  ０  ０  １  ０  ０  ０  ０  １  １  １  １  １  ０  １］
Ａ1024 ＝  ［０  ０  ０  ０  ０  ０  ０  ０  ０  １  １  １  ０  ０  ０  １  １  １  ０  １  １  ０  ０  ０  １  ０  ０  １  １  ０  １  ０  １  ０  ０  ０  １  ０  ０  ０  ０  １  ０  １  ０  １  １  １  ０  ０  ０  ０  １  ０  １  １  ０  １  ０  １  ０  １  １  １  １  １  ０  １  ０  ０  ０  ０  ０  ０  ０  ０  １  ０  １  ０  １  ０  １  ０  １  ０  ０  ０  ０  １  ０  １  １  １  １  ０  ０  ０  １  ０  １  １  ０  １  １  １  ０  ０  １  １  ０  １  ０  ０  １  ０  １  ０  ０  １  １  ０  ０  ０  ０  １  ０  １  ０  ０  １  １  １  ０  ０  １  １  ０  ０  ０  ０  ０  ０  １  １  ０  １  ０  １  ０  １  ０  １  １  ０  ０  １  １  ０  ０  １  １  ０  １  ０  １  １  ０  ０  ０  ０  ０  １  ０  １  １  ０  ０  ０  １  １  １  １  ０  １  １  １  ０  ０  １  ０  ０  １  １  ０  １  １  １  ０  １  ０  １  １  ０  ０  １  ０  ０  ０  ０  １  ０  ０  ０  １  ０  １  ０  １  ０  ０  ０  １  １  ０  ０  １  １  ０  ０  ０  １  ０  ０  ０  １  ０  ０  ０  １  １  ０  ０  ０  １  ０  １  ０  １  １  ０  ０  ０  １  ０  １  １  １  １  １  ０  ０  ０  ０  １  ０  ０  １  ０  ０  ０  １  １  １  １  ０  ０  １  １  １  ０  １  １  ０  １  ０  １  １  ０  １  ０  ０  １  １  ０  ０  １  ０  １  １  １  ０  １  １  １  ０  １  ０  ０  １  ０  １  １  ０  １  ０  ０  ０  １  ０  １  １  ０  ０  １  １  １  ０  １  ０  ０  １  １  １  １  １  １  ０  １  ０  １  １  ０  １  １  ０  １  ０  ０  ０  ０  ０  １  ０  ０  ０  ０  １  １  １  ０  ０  １  １  １  ０  ０  １  ０  ０  ０  １  ０  ０  １  １  １  １  ０  ０  ０  ０  １  １  ０  １  １  ０  ０  ０  １  １  ０  １  ０  ０  １  １  １  ０  １  １  １  １  ０  ０  １  ０  ０  ０  ０  ０  ０  ０  １  １  ０  ０  ０  １  １  １  ０  ０  １  ０  １  ０  １  １  ０  １  ０  １  １  １  １  ０  １  １  １  １  ０  １  １  ０  １  ０  ０  １  ０  ０  ０  ０  ０  １  ０  １  ０  ０  ０  １  １  １  ０  １  ０  ０  ０  １  １  ０  １  １  １  １  ０  ０  ０  ０  ０  １  ０  ０  １  ０  １  ０  １  ０  １  １  １  ０  １  ０  ０  ０  ０  １  ０  ０  １  １  ０  ０  ０  １  １  ０  ０  ０  ０  ０  １  １  １  １  １  ０  ０  ０  １  １  ０  １  １  ０  １  ０  １  ０  ０  １  １  ０  １  ０  ０  ０  ０  １  １  ０  １  ０  ０  ０  １  １  １  １  １  ０  １  ０  １  ０  ０  １  ０  ０  １  １  ０  ０  １  １  １  １  ０  ０  １  ０  １  ０  ０  １  ０  ０  ０  １  ０  １  １  １  ０  １  ０  １  ０  ０  ０  ０  ０  ０  １  ０  １  １  １  ０  ０  ０  １  １  ０  ０  １  ０  ０  ０  １  １  ０  １  ０  １  １  １  ０  ０  １  ０  １  １  １  １  １  １  ０  ０  １  １  ０  １  １  ０  １  １  １  ０  １  １  １  １  １  ０  １  １  ０  ０  １  ０  ０  １  ０  １  １  ０  ０  ０  ０  １  １  ０  ０  １  ０  １  ０  １  ０  ０  １  １  １  １  ０  １  ０  ０  ０  １  ０  ０  １  ０  １  １  １  ０  ０  １  １  １  １  ０  １  １  ０  ０  ０  ０  ０  ０  ０  １  ０  ０  ０  １  １  １  ０  ０  ０  ０  １  １  １  １  １  １  ０  ０  ０  １  ０  ０  １  ０  ０  １  １  １  ０  １  ０  １  １  １  ０  １  １  ０  ０  １  １  ０  １  １  １  １  １  ０  ０  １  ０  １  １  ０  １  １  ０  ０  ０  ０  １  ０  ０  ０  ０  ０  １  １  １  ０  １  ０  １  ０  １  ０  ０  １  ０  １  １  １  １  ０  １  ０  １  １  １  １  １  １  １  ０  １  ０  ０  １  ０  ０  １  ０  ０  ０  ０  １  １  ０  ０  ０  ０  １  １  １  ０  １  １  １  ０  ０  ０  ０  ０  ０  １  ０  ０  １  １  １  ０  ０  ０  １  ０  １  ０  ０  １  ０  １  ０  １  １  １  １  ０  ０  １  １  ０  ０  １  ０  ０  １  １  １  １  １  ０  ０  １  １  １  １  １  １  １  １  ０  ０  １  ０  ０  １  ０  ０  １  ０  １  ０  ０  ０  １  ０  １  ０  ０  ０  ０  １  １  １  １  ０  １  ０  １  ０  １  １  ０  １  １  １  １  ０  １  ０  ０  １  １  ０  １  １  ０  ０  １  １  １  １  １  ０  １  １  １  ０  １  １  ０  １  １  １  １  １  １  ０  １  １  １  １  １  １  １  １  １  ０  １  １  ０  １  １  ０  １  １  ０  ０  １  ０  １  １  ０  ０  １  ０  １  ０  ０  ０  ０  ０  １  １  ０  ０  １  １  １  ０  ０  ０  ０  ０  １  １  ０  １  １  １  ０  ０  ０  １  ０  ０  ０  ０  ０  ０  １  １  １  １  ０  ０  ０  １  １  １  １  １  １  １  ０  １］．
のうちの１つであることを特徴とする、
請求項１０に記載のデバイス。
【請求項１２】
前記シーケンスに対しバイアス値を追加し、平均値を０に近づけ、および／または、前記セットにおける送信側コミュニケーションデバイスの数または並行して送信されるおよび／またはアップサンプリングされたシーケンスに周期的にシフトして適用されるストリームの数についての情報に依存して、前記シーケンスにゼロ値を挿入し、前記識別番号に依存して前記シーケンスのシフトされたバージョンにおける非ゼロ値の位置を調整するように構成されることを特徴とする、
請求項１〜１１のいずれかに記載のデバイス。
【請求項１３】
前記識別番号はＭＡＣにより定義されることを特徴とする、
請求項１〜１２のいずれかに記載のセットまたはデバイス。
【請求項１４】
アップサンプリングされて周期的にシフトされた、および／またはその逆バージョンのシーケンスを連結することによって、スペクトル値のシーケンスから、前記特有のアナログ波形を導出するために用いられるスペクトル値のシーケンスを得て、ＩＦＦＴを実行して前記特有のアナログ波形を導出するように構成されることを特徴とする、
請求項１〜１３のいずれかに記載のセットまたはデバイス。
【請求項１５】
ストリームまたは送信機の識別子、および／またはコーム係数に依存して使用されるコームシフト及びアダマール行列の行または列の両方を、コミュニケーションデバイスの数に依存して選択するように構成されることを特徴とする、
請求項１〜１４のいずれかに記載のセットまたはデバイス。
【請求項１６】
前記シーケンスおよび前記周期的なプレフィックスのためのクロックサイクルの数は、ＯＣＲに比例して増加することを特徴とする、
請求項１〜１５のいずれかに記載のセットまたはデバイス。
【請求項１７】
下記の表に設定される条件のうちの少なくとも１つを検証するように構成され、
Δはコーム係数であり、Ｌはアダマールシーケンスのインデックスであることを特徴とする、
請求項１〜１６のいずれかに記載のセットまたはデバイス。
2020532899.tif 000029
【請求項１８】
無線リンクを使用して、他の複数のコミュニケーションデバイスと通信するためのコミュニケーションデバイスであって、前記コミュニケーションデバイスは
−  異なる前記他のコミュニケーションデバイスとの通信のために固定長または可変長の異なるコードを使用して、前記他のコミュニケーションデバイスが、どのデータが自身に向けられているのかを識別するまたはコード分割多元接続を実現することができるようにし、
−  他の受信側コミュニケーションデバイスの数に依存して、および／またはチャンネル条件に依存して、および／または所望のデータレートに依存して、前記コードの数および／または前記コードの長さを変更し、
−  他の受信側コミュニケーションデバイスの数に依存して、および／またはチャンネル条件に依存して、および／または所望のデータレートに依存して、パルス振幅変調のタイプを変更して２−ＰＡＭ、４−ＰＡＭ、８−ＰＡＭおよび１６ＰＡＭの間で切り替える
ように構成されることを特徴とする、コミュニケーションデバイス。
【請求項１９】
無線リンクを使用して複数の他のコミュニケーションデバイスと通信するためのコミュニケーションデバイスであって、前記コミュニケーションデバイスは、
アダマール符号化変調（３３７ａ）を使用し、
前記アダマール符号化変調において用いられたコードの数、及びパルス振幅変調（ＰＡＭ）の振幅状態の数を決定するパラメータを変化させる、
ように構成されていることを特徴とする、コミュニケーションデバイス。
【請求項２０】
前記コミュニケーションデバイスは、異なる前記他のコミュニケーションデバイスとの通信のために、アダマール符号化変調を使用して、前記他のコミュニケーションデバイスが、どのデータが自身に向けられているかを識別できるようにするように構成されていることを特徴とする、
請求項１９に記載のコミュニケーションデバイス。
【請求項２１】
前記コミュニケーションデバイスは、他の受信側コミュニケーションデバイスの数に依存して、および／またはチャンネル条件に依存して、および／または所望のデータレートに依存して、前記アダマールコード変調において使用されたコードの数、およびＰＡＭの振幅状態の数を決定するパラメータを変化させるように構成されていることを特徴とする、
請求項１９または２０に記載のコミュニケーションデバイス。
【請求項２２】
前記コミュニケーションデバイスは、ヘッダ情報が複製されている（３２２）拡張ヘッダデータユニット（３１２）を取得し、前記拡張ヘッダデータユニットをリードソロモン符号ベースの前方誤り訂正（３２４）に入力し、エラートレラントなデータユニットを取得するように構成されることを特徴とする、
請求項１９に記載のコミュニケーションデバイス。
【請求項２３】
物理層ヘッダはフレームタイプと物理層サービスデータユニットの長さを記述することを特徴とする、
請求項２２に記載のコミュニケーションデバイス。
【請求項２４】
無線リンクを使用して複数の他のコミュニケーションデバイスと通信するためのコミュニケーションデバイスであって、前記コミュニケーションデバイスは
デジタル処理ユニットと、
光信号を送信するための光学フロントエンドと、
を備え、
前記デジタル処理ユニットは、前記光学フロントエンドにＤＣフリー出力信号を供給するように構成され、
前記光学フロントエンドは、発光ダイオードやレーザーダイオード等、光学送信装置の変調振幅および／またはバイアスを設定するように構成され、
前記コミュニケーションデバイスはパルス振幅変調（ＰＡＭ）を実行するように構成され、
前記コミュニケーションデバイスは、入力ビットを２つのレベルにマッピングして、一定のレベルを減算するように構成されることを特徴とする、
コミュニケーションデバイス。
【請求項２５】
無線リンクを使用して他の複数のコミュニケーションデバイスと通信するためのコミュニケーションデバイスであって、
前記コミュニケーションデバイスは、送信器の完全なセットを用いてチャンネル評価フレームを送信するように構成され、
前記コミュニケーションデバイスは、選択された送信器を用いてデータフレームを選択的に送信するように構成され、
前記コミュニケーションデバイスは、ヘッダシンボルのスカラーストリームをすべて同じ値を含むベクトルで乗算するように構成される、
ことを特徴とする、コミュニケーションデバイス。
【請求項２６】
無線リンクを使用して複数の他のコミュニケーションデバイスと通信するためのコミュニケーションデバイスであって、
前記コミュニケーションデバイスは複数の送信器を用いて複数のデータストリームを送信するように構成され、
前記コミュニケーションデバイスは、前記データストリームのうちの第１のデータストリームが前記送信器のうちのどれを使って、且つどの強度を用いて送信されるかを決定するように構成され、
前記コミュニケーションデバイスは、前記データストリームのうちの第２のデータストリームが前記送信器のうちのどれを使って、且つどの強度を用いて送信されるかを決定するように構成され、
前記コミュニケーションデバイスは中央コントローラから情報を受信するように構成されることを特徴とする、
コミュニケーションデバイス。
【請求項２７】
時間ドメインＲＳを使用するときにはシンボル毎および／またはサブキャリア毎に演算する行列ベクトル演算Ｐｘを使用するように構成されることを特徴とする、
請求項２６に記載のコミュニケーションデバイス。
【請求項２８】
データシンボルのベクトルをプレコーディング行列で乗算するように構成されることを特徴とする、
請求項２６または２７に記載のコミュニケーションデバイス。
【請求項２９】
更に構造的および機能的に請求項１〜１７のいずれかのように構成されることを特徴とする、請求項１８〜２８のいずれかに記載のデバイス。
【請求項３０】
前記コミュニケーションデバイスは光コミュニケーションデバイスであることを特徴とする、請求項１〜２９のいずれかに記載のデバイス。
【請求項３１】
前記コミュニケーションデバイスは可視光通信（ＶＬＣ）デバイスであることを特徴とする、請求項１〜３０のいずれかに記載のデバイス。
【請求項３２】
ワイヤレス信号を送信するための少なくとも１つのフォトダイオードまたはレーザーダイオードをさらに備えることを特徴とする、
請求項１〜３１のいずれかに記載のデバイス。
【請求項３３】
ドメインマスター（ＤＭ）（２１２）と、
前記ＤＭ（２１２）に接続された複数の中継エンドポイント（ＲＥＰ）（２１４）と、
複数のエンドポイント（ＥＰ）（２１６）と、
を備える可視光通信（ＶＬＣ）ネットワーク（２１０）であって、
それぞれのＲＥＰ（２１４）は、ＶＬＣリンクではない第１の通信リンク（２１７）を介して前記ＤＭで、および、ＶＬＣリンクである第２の通信リンク（２１８）を介して、前記ＥＰ（２１６）のうちの少なくとも１つで、信号（１１５）を送受信するように構成され、
それぞれのＲＥＰ（２１４）は、
前記第２の通信リンク（２１８）を介した、前記ＤＭ（２１２）から前記少なくとも１つのＥＰ（２１６）へのダウンリンク（ＤＬ）信号、および／または、
前記第１の通信リンク（２１７）を介した、前記少なくとも１つのＥＰ（２１６）から前記ＤＭ（２１２）へのアップリンク（ＵＬ）信号、
を中継するように構成されることを特徴とする、可視光通信（ＶＬＣ）ネットワーク（２１０）。
【請求項３４】
第１のＥＰ（２１６’）は、不連続な番号のサブキャリア（Ｓ1、Ｓ5）で、第１のコーム状パイロットシーケンス（１３１’）を送信するように構成され、
第２のＥＰ（２１６’’）は、不連続な番号のサブキャリア（Ｓ3、Ｓ7）で、第２のコーム状パイロットシーケンス（１３１’’）を送信するように構成され、
前記第２のコーム状パイロットシーケンスの前記サブキャリア（Ｓ3、Ｓ7）は、前記第１のコーム状パイロットシーケンスの前記サブキャリア（Ｓ1、Ｓ5）に対してシフトされて、
少なくとも１つのＲＥＰ（２１４）が前記第１および第２のＥｐ（２１６’、２１６’’）のそれぞれに関して前記ＶＬＣリンク（２１８）に関連付けられた測定基準を決定することができるようになっていることを特徴とする、
請求項３３に記載のネットワーク。
【請求項３５】
前記第１および第２のＥＰは、前記第１及び第２のコーム状シーケンスを同時に送信するように構成されることを特徴とする、
請求項３４に記載のネットワーク。
【請求項３６】
第１のＲＥＰ（２１４）は、不連続な番号のサブキャリアで第１のコーム状パイロットシーケンスを送信するように構成され、
第２のＲＥＰ（２１４）は、不連続な番号のサブキャリアで第２のコーム状パイロットシーケンスを送信するように構成され、
前記第２のコーム状パイロットシーケンスの前記サブキャリアは、前記第１のコーム状パイロットシーケンスの前記サブキャリアに対してシフトされて、
少なくとも１つのＥＰが、前記第１及び第２のＲＥＰのそれぞれに関して、前記ＶＬＣリンクに関連付けられた測定基準を決定することができるようになっていることを特徴とする、
請求項３３〜３５のいずれかに記載のネットワーク（２１０）。
【請求項３７】
前記第１および第２のＲＥＰは、前記第１及び第２のコーム状パイロットシーケンス［を同時に送信するように構成されることを特徴とする、
請求項３６に記載のネットワーク。
【請求項３８】
ネットワーク（２１０）に接続するとき、それぞれのＥＰは、
少なくとも最も可視的なＥＰがある前記第２の通信リンクに関連付けられた、品質関係の測定基準を決定し、
決定された測定基準を前記ＲＥＰ（２１４）を介して前記ＤＭ（２１２）にシグナリングして、前記ＤＭ（２１２）が前記ＣＭにおいて前記決定された測定基準値を含む
ように構成されることを特徴とする、
請求項３３〜３７のいずれかに記載のネットワーク（２１０）。
【請求項３９】
前記ＤＭ（２１２）は、ダウンリンクにおいて送信されるフレームの異なるタイプを区別するように構成され、前記タイプには、
前記ＶＬＣネットワーク（２１０）の前記ＲＥＰにより同期して中継される第１のフレームタイプ１つと、
所定の領域内の１つ以上のＲＥＰによって中継される第２のフレームタイプ１つと、
１つのＲＥＰ（２１４）によって個別に中継される第３のフレームタイプ１つを含むことを特徴とする、
請求項３３〜３８のいずれかに記載のネットワーク（２１０）。
【請求項４０】
前記ＤＭ（２１２）は、前記ネットワーク（２１０）の異なる部分において異なるチャンネルフィードバックモードを作動させ、
前記第１のタイプのフレームによりデフォルトのフィードバックモードをシグナリングし、
前記ネットワーク（２１０）の特定の部分において前記デフォルトのフィードバックモードから逸脱して異なるフィードバックモードを指定するために前記第２または第３のタイプのフレームを送信する
ことによって、選択された前記フィードバックモードを前記ＥＰにシグナリングするように構成され、
それぞれのＥＰは、前記第３のタイプの前記フレームを前記第２のタイプの前記フレームよりも優先させて、且つ、前記第２のタイプの前記フレームを前記第１のタイプの前記フレームよりも優先させて、フィードバックモードを変更するように構成されることを特徴とする、
請求項３３〜３９のいずれかに記載のネットワーク（２１０）。
【請求項４１】
前記ＲＥＰのうちの少なくとも１つは請求項１〜５４（１７？）のいずれかに記載のコミュニケーションデバイスであることを特徴とする、
請求項３３〜４０の何れかに記載のネットワーク（２１０）。
【請求項４２】
前記ＤＭおよび前記ＲＥＰは請求項１〜１７のいずれかに記載のコミュニケーションデバイスの一部であり、前記ＲＥＰは光学送信器（１１２）を含むまたはそのものであることを特徴とする、
請求項３３〜４１のいずれかに記載のネットワーク（２１０）。
【請求項４３】
前記ＥＰのうちの少なくとも１つは請求項１〜３２のいずれかに記載のコミュニケーションデバイスであることを特徴とする、
請求項３３〜４２の何れかに記載のネットワーク（２１０）。
【請求項４４】
無線リンクを使用して複数の他のコミュニケーションデバイスと通信するためのコミュニケーションデバイスのセットであって、
前記コミュニケーションデバイスのセットは、
光クロック基準、および
前記セット内の送信側コミュニケーションデバイスの数または並行して送信されるストリームの数
に応じたサブキャリアの数または時間スロットの数を使用して個別の参照信号を提供し、
送信側コミュニケーションデバイスのセット全体における個々のコミュニケーションデバイスに関連付けられた識別番号に応じて、または特定のストリームまたは送信器を識別する識別番号に依存して、前記時間スロットにおけるサブキャリアまたは信号の前記位置を規定し、
複数の受信側コミュニケーションデバイスが、前記コミュニケーションデバイスのセット全体の中の個別のコミュニケーションデバイスからもたらされる、または特定のストリームあるいは送信器に関連付けられた信号を識別することができるようにするための前記参照信号を送信する
ように構成されることを特徴とする、
コミュニケーションデバイスのセット。
【請求項４５】
無線リンクを使用して複数の他のコミュニケーションデバイスと通信するための通信を実行するための方法であって、
光クロック基準、および
前記セット内の送信側コミュニケーションデバイスまたは並行して送信されるストリームの数
に応じてサブキャリアまたは時間スロットの数を使用して個々の参照信号を提供するステップと、
送信側コミュニケーションデバイスのセット全体の中の個々のコミュニケーションデバイスに関連付けられた識別番号に応じて、または特定のストリームあるいは送信器を識別する識別番号に依存して、前記時間スロットにおけるサブキャリアまたは信号の位置を規定するステップと、
前記複数の受信側コミュニケーションデバイスが、コミュニケーションデバイスの前記セット全体からもたらされる、または特定のストリームあるいは送信器に関連付けられた前記信号を識別することができるようにする前記参照信号を送信するステップ
を含むことを特徴とする、方法。
【請求項４６】
セットの中の送信側コミュニケーションデバイスまたは並行して送信されるストリームの数に依存して特定の波形を選択することによって、時間において直交する複数の波形から前記特定の波形を選択するステップ、
を含むことを特徴とする、無線リンクを使用して複数の他のコミュニケーションデバイスと通信するための通信を実行するための方法。
【請求項４７】
異なる他のコミュニケーションデバイスと通信するため、可変長又は固定長の異なるコードを使用して、前記他のコミュニケーションデバイスが、どのデータが自身に向けられているかを識別することができるようにする、および／またはコード分割多元接続を達成するステップと、
受信側の他のコミュニケーションデバイスの数および／またはチャンネル条件に依存して、および／または所望のデータレートに依存して、前記コードの数および／または前記コードの長さを変化させるステップと、
を含むことを特徴とする、方法。
【請求項４８】
アダマール符号化変調を使用して、前記［※訳注：初出。］他のコミュニケーションデバイスが、どのデータが自身に向けられているのかを識別することができるようにするステップと、
前記アダマール符号化変調において使用されたコードの数と、パルス振幅変調（ＰＡＭ）の振幅状態の数を決定するパラメータを変化させるステップと、
を含むことを特徴とする、方法。
【請求項４９】
ヘッダ情報が複製される、または複数回繰り返されるあるいはコピーされる、拡張ヘッダデータユニットを取得するステップと、
前記拡張ヘッダデータユニットをリードソロモンコードベースの前方誤り訂正に入力するステップと、
をさらに含むことを特徴とする、
請求項４８に記載の方法。
【請求項５０】
光学フロントエンドへＤＣフリー出力シグナルを提供するステップであって、前記ＤＣフリー出力シグナルは、ヘッダおよび／またはペイロードの符号化され且つシンボルマップされた表現である、ステップを含み、
前記光学フロントエンドは、変調振幅および／またはＬＥＤあるいはレーザーダイオードのような光学送信デバイスのバイアスを設定するように構成される
ことを特徴とする、方法。
【請求項５１】
送信器の完全なセットを用いてチャンネル評価フレームを送信するステップと、
選択された送信器または並行して送信されるストリームを用いて、データフレームを選択的に送信するステップ、
を含むことを特徴とする、方法。
【請求項５２】
複数の送信器を用いて複数のデータストリームを送信するステップと、
第１のデータストリームがどの送信器を使用して、且つどの強度を用いて送信されるかを決定するステップと、
第２のデータストリームがどの送信器を使用して、且つどの強度を用いて送信されるかを、決定するステップ、
を含むことを特徴とする、方法。
【請求項５３】
請求項１〜４３のいずれかに記載の機器を用いた、請求項４４〜５２のいずれかに記載の方法。
【請求項５４】
プロセッサによって実行されたときに、前記プロセッサに請求項４４〜５３のいずれかに記載の方法を実行させる命令を記憶する、非一時的記憶ユニット。
【発明の詳細な説明】
【技術分野】
【０００１】
本発明は、例えば、これから以下に示す例示および側面、ワイヤレスネットワークのための、可視光通信、ＶＬＣのためのデバイスおよび／または通信に関する。
【背景技術】
【０００２】
ワイヤレス通信（及び、特にＶＬＳ通信）は、電線の介入なしで、放送の送信機と受信機との間での送信の交換を許可する（例えば、非特許文献参照）。
【先行技術文献】
【非特許文献】
【０００３】
【非特許文献１】［１］  Ｔ．  Ｍ．  Ｓｃｈｍｉｄｌ，  Ｄ．  Ｃ．  Ｃｏｘ，  “Ｒｏｂｕｓｔ  ｆｒｅｑｕｅｎｃｙ  ａｎｄ  ｔｉｍｉｎｇ  ｓｙｎｃｈｒｏｎｉｚａｔｉｏｎ  ｆｏｒ  ＯＦＤＭ”，ＩＥＥＥ  Ｔｒａｎｓａｃｔｉｏｎｓ  ｏｎ  Ｃｏｍｍｕｎｉｃａｔｉｏｎｓ，  １９９７．
【非特許文献２】［２］         Ｈ．  Ｍｉｎｎ，  Ｖ．  Ｋ．  Ｂｈａｒｇａｖａ，  Ｋ．  Ｂ．  Ｌｅｔａｉｅｆ，  “Ａ  ｒｏｂｕｓｔ  ｔｉｍｉｎｇ  ａｎｄ  ｆｒｅｑｕｅｎｃｙ  ｓｙｎｃｈｒｏｎｉｚａｔｉｏｎ  ｆｏｒ  ＯＦＤＭ  ｓｙｓｔｅｍｓ，”  ｉｎＩＥＥＥ  Ｔｒａｎｓａｃｔｉｏｎｓ  ｏｎ  Ｗｉｒｅｌｅｓｓ  Ｃｏｍｍｕｎｉｃａｔｉｏｎｓ，  ｖｏｌ．  ２，  ｎｏ．  ４，  ｐｐ．  ８２２−８３９，  Ｊｕｌｙ  ２００３．
【非特許文献３】［３］         Ｍ．  Ｓｃｈｅｌｌｍａｎｎ，  Ｖ．  Ｊｕｎｇｎｉｃｋｅｌ，  Ｃ．  ｖｏｎ  Ｈｅｌｍｏｌｔ，  “Ｏｎ  ｔｈｅ  ｖａｌｕｅ  ｏｆ  ｓｐａｔｉａｌ  ｄｉｖｅｒｓｉｔｙ  ｆｏｒ  ｔｈｅ  ｓｙｎｃｈｒｏｎｉｚａｔｉｏｎ  ｉｎ  ＭＩＭＯ−ＯＦＤＭ  ｓｙｓｔｅｍｓ，“ＩＥＥＥ  １６ｔｈ  Ｉｎｔｅｒｎａｔｉｏｎａｌ  Ｓｙｍｐｏｓｉｕｍ  ｏｎ  Ｐｅｒｓｏｎａｌ，  Ｉｎｄｏｏｒ  ａｎｄ  Ｍｏｂｉｌｅ  Ｒａｄｉｏ  Ｃｏｍｍｕｎｉｃａｔｉｏｎｓ，  Ｂｅｒｌｉｎ，  ２００５，  ｐｐ．  ２０１−２０５．
【非特許文献４】［４］         Ｋ．  Ｇｏｒｏｓｈｋｏ，  Ｋ．  Ｍａｎｏｌａｋｉｓ，  Ｌ．  Ｇｒｏｂｅ，  Ｖ．  Ｊｕｎｇｎｉｃｋｅｌ，  “Ｌｏｗ−ｌａｔｅｎｃｙ  ｓｙｎｃｈｒｏｎｉｚａｔｉｏｎ  ｆｏｒ  ＯＦＤＭ−ｂａｓｅｄ  ｖｉｓｉｂｌｅ  ｌｉｇｈｔ  ｃｏｍｍｕｎｉｃａｔｉｏｎ，“２０１５  ＩＥＥＥ  Ｉｎｔｅｒｎａｔｉｏｎａｌ  Ｃｏｎｆｅｒｅｎｃｅ  ｏｎ  Ｃｏｍｍｕｎｉｃａｔｉｏｎ  Ｗｏｒｋｓｈｏｐ  （ＩＣＣＷ），  Ｌｏｎｄｏｎ，  ２０１５，  ｐｐ．  １３２７−１３３２．
【非特許文献５】［５］  Ｖ．  Ｊｕｎｇｎｉｃｋｅｌ，  Ｙｕｎ−Ｓｈｅｎ  Ｃｈａｎｇ，  Ｖ．  Ｐｏｈｌ，  “Ｐｅｒｆｏｒｍａｎｃｅ  ｏｆ  ＭＩＭＯ  Ｒａｋｅ  ｒｅｃｅｉｖｅｒｓ  ｉｎ  ＷＣＤＭＡ  ｓｙｓｔｅｍｓ，“ＩＥＥＥ  Ｗｉｒｅｌｅｓｓ  Ｃｏｍｍｕｎｉｃａｔｉｏｎｓ  ａｎｄ  Ｎｅｔｗｏｒｋｉｎｇ  Ｃｏｎｆｅｒｅｎｃｅ  （ＩＥＥＥ  Ｃａｔ．  Ｎｏ．０４ＴＨ８７３３），  ２００４，  ｐｐ．２０７５−２０８０  Ｖｏｌ．４．
【非特許文献６】［６］  Ｖ．  Ｊｕｎｇｎｉｃｋｅｌ，  Ｈ．  Ｃｈｅｎ，  Ｖ．  Ｐｏｈｌ，  “Ａ  ＭＩＭＯ  ＲＡＫＥ  ｒｅｃｅｉｖｅｒ  ｗｉｔｈ  ｅｎｈａｎｃｅｄ  ｉｎｔｅｒｆｅｒｅｎｃｅ  ｃａｎｃｅｌｌａｔｉｏｎ，“ＩＥＥＥ  ６１ｓｔ  Ｖｅｈｉｃｕｌａｒ  Ｔｅｃｈｎｏｌｏｇｙ  Ｃｏｎｆｅｒｅｎｃｅ，  ２００５，  ｐｐ．  ３１３７−３１４１  Ｖｏｌ．  ５．
【非特許文献７】［７］  Ｖ．  Ｊｕｎｇｎｉｃｋｅｌ，  Ｋ．  Ｍａｎｏｌａｋｉｓ，  Ｌ．  Ｔｈｉｅｌｅ，  Ｔ．  Ｗｉｒｔｈ，  Ｔ．  Ｈａｕｓｔｅｉｎ，  ？Ｈａｎｄｏｖｅｒ  Ｓｅｑｕｅｎｃｅｓ  ｆｏｒ  Ｉｎｔｅｒｆｅｒｅｎｃｅ−Ａｗａｒｅ  Ｔｒａｎｓｍｉｓｓｉｏｎ  ｉｎ  Ｍｕｌｔｉｃｅｌｌ  ＭＩＭＯ  Ｎｅｔｗｏｒｋｓ，  “  Ｐｒｏｃｅｅｄｉｎｇｓ  Ｉｎｔｅｒｎａｔｉｏｎａｌ  ＩＴＧ  Ｗｏｒｋｓｈｏｐ  ｏｎ  Ｓｍａｒｔ  Ａｎｔｅｎｎａｓ  −  ＷＳＡ  ２００９，  Ｆｅｂｒｕａｒｙ  １６？１８，  Ｂｅｒｌｉｎ，  Ｇｅｒｍａｎｙ．
【非特許文献８】［８］         Ｍ．  Ｎｏｓｈａｄ，  ａｎｄ  Ｍ．  Ｂｒａｎｄｔ−Ｐｅａｒｃｅ．  “Ｈａｄａｍａｒｄ−ｃｏｄｅｄ  ｍｏｄｕｌａｔｉｏｎ  ｆｏｒ  ｖｉｓｉｂｌｅ  ｌｉｇｈｔ  ｃｏｍｍｕｎｉｃａｔｉｏｎｓ．“ＩＥＥＥ  Ｔｒａｎｓａｃｔｉｏｎｓ  ｏｎ  Ｃｏｍｍｕｎｉｃａｔｉｏｎｓ６４．３  （２０１６）：  １１６７−１１７５．
【非特許文献９】［９］         Ｋ．  Ｊ．  Ｈｏｒａｄａｍ，  Ｈａｄａｍａｒｄ  Ｍａｔｒｉｃｅｓ  ａｎｄ  Ｔｈｅｉｒ  Ａｐｐｌｉｃａｔｉｏｎｓ．  Ｐｒｉｎｃｅｔｏｎ  Ｕｎｉｖｅｒｓｉｔｙ  Ｐｒｅｓｓ，  ２００６．
【非特許文献１０】［１０］  ｈｔｔｐｓ：／／ｍｅｎｔｏｒ．ｉｅｅｅ．ｏｒｇ／８０２．１５／ｄｃｎ／１７／１５−１７−０５９８−００−００１３−ｇｅｎｅｒｉｃ−ｍａｃ−ｆｏｒ−ｃｏｏｒｄｉｎａｔｅｄ−ｔｏｐｏｌｏｇｙ．ｐｐｔ
【非特許文献１１】［１１］     Ｓｅｅ  ｈｔｔｐ：／／ａｐｐｌｉｃａｔｉｏｎ−ｎｏｔｅｓ．ｄｉｇｃｈｉｐ．ｃｏｍ／０５６／５６−３９７２４．ｐｄｆ
【非特許文献１２】［１２］     Ｒａａｎａｎ  Ｉｖｒｙ  （ＢｒｏａｄＬｉｇｈｔ），  ，，ＦＥＣ  ａｎｄ  Ｌｉｎｅ  Ｃｏｄｉｎｇ  ｆｏｒ  ＥＦＭ”，  ｓｌｉｄｅ  ｓｅｔ，  １２  Ｏｃｔｏｂｅｒ  ２００１．
【非特許文献１３】［１３］    Ｊｏｒｄｉ  Ｏｌｉｖｅｒａｓ  Ｂｏａｄａ，  ，，Ｆｏｒｗａｒｄ  ｅｒｒｏｒ  ｃｏｒｒｅｃｔｉｏｎ  ｉｎ  ｏｐｔｉｃａｌ  Ｅｔｈｅｒｎｅｔ  Ｃｏｍｍｕｎｉｃａｔｉｏｎｓ”，  Ｐｈ．Ｄ．  Ｔｈｅｓｉｓ，  Ｕｎｉｖｅｒｓｉｔａｔ  Ｐｏｌｉｔeｃｎｉｃａ  ｄｅ  Ｃａｔａｌｕｎｙａ，  Ｂａｒｃｅｌｏｎａ，  Ｊｕｎｅ  ２０１４
【発明の概要】
【発明が解決しようとする課題】
【０００４】
ワイヤレス通信は、例えば、送信が受信機によって確実に受信されることを常に保証することができないような減少した信頼性、といった、いくつかの障害をもたらす。さらに、送信とレセプションとを調整することに対するルール（例えば、プロトコル）を確立する必要性がある。
【０００５】
例えば、の同時に伝えられたネットワークの２つのノードを避けるためのルールを確認するか、この出来事が生じた場合、衝突を解決するための技術を開発するための、ルールを確立することが必要である。
【０００６】
さらに、レシーバーがチャンネルの特徴を決めることが、必要かもしれない。この目的のために、受信機がチャンネル特徴を決めることができるように、受信機からパイロットシーケンスが送信されるかもしれない。
【０００７】
ある場合には、複数のノードは、同時にそれらのパイロット・シーケンスを送る。
【０００８】
【課題を解決するための手段】
【０００９】
上記の点から、以下の、ワイヤレスリンクを用いた、他の複数のコミュニケーションデバイスと通信するためのコミュニケーションデバイスが開示される：
前記コミュニケーションデバイスは：
以下に一致する複数のサブキャリア又はタイムスロットを用いた個々のリファレンスシグナルを提供する：
光学時計リファレンス；そして
並行して送信されるセット又はストリームにおける複数の送信コミュニケーションデバイス；
送信コミュニケーションデバイス又は特定のストリーム又は送信機を認識する認識番号に依存したすべてのセット内の個々のコミュニケーションデバイスに関する認識番号に関するタイムスロットにおけるサブキャリア又はシグナルの場所を明らかにし；
コミュニケーションデバイス又は特定のストリーム又は送信機からなるもののすべてのセットにおける個々のコミュニケーションデバイスから来るシグナルを明らかにするための複数の受信コミュニケーションデバイス可能にするリファレンスシグナルを送信する。
上記の点から、ワイヤレスリンクを用いた複数の他のコミュニケーションデバイスとコミュニケーションするためのコミュニケーションデバイスが開示され、前記コミュニケーションデバイスは、
他のコミュニケーションデバイスの差をもってコミュケーションするために、固定されたか或いは可変な長さである、データがつながっている他のコミュニケーションデバイスを許可するため、及び／又は、符号分割多重アクセスを行うための異なったコードを用い；
複数のコード、及び／又は、受信する他のコミュニケーションデバイス、及び／又は、チャンネルコンディション、及び／又は、望ましいデータレートに依存する、複数のに依存するコードの長さを変更し：そして
複数の受信している他のコミュニケーションデバイスに依存して、及び／又は、チャンネルコンディションに依存して、及び／又は、望ましいデータレートに依存して、２−ＰＡＭ，  ４−ＰＡＭ，  ８−ＰＡＭ  及び  １６  ＰＡＭの間でスイッチするパルス振幅変調のタイプを変更する
ように構成される。
【００１０】
上記の点から、ワイヤレスリンクを用いた複数の他のコミュニケーションデバイスとコミュニケーションするためのコミュニケーションデバイスが開示される、
前記コミュニケーションデバイスは、ハダマードコード修正を用いて構成され、
前記コミュニケーションデバイスは、ハダマードコード修正、及び、ＰＡＭ、すなわちパルス変調修正の複数の変調ステータスを決定するパラメータを変更するように構成される。
【００１１】
上記の点から、ワイヤレスリンクを用いた複数の他のコミュニケーションデバイスとコミュニケーションするためのコミュニケーションデバイスが開示される、
デジタル処理ユニット；及び
光学シグナルを送信するための光学フロントエンド；を含み：
前記デジタル処理ユニットは前記光学フロントエンドに対してＤＣフリー出力シグナルを提供するように構成され；
前記光学フロントエンドは修正変調、及び／又は、発光ダイオード又はレーザダイオードのような、光学送信デバイスのバイアスをセットするように構成され、
前記コミュニケーションデバイスは、パルス変調修正、ＰＡＭを形成するように構成され、
前記コミュニケーションデバイスは、２レベルのビットがインプットされるようにマップされ、一定のレベルを引くように構成されている。
【００１２】
上記の点から、ワイヤレスリンクを用いた複数の他のコミュニケーションデバイスとコミュニケーションするためのコミュニケーションデバイスが開示される、
前記コミュニケーションデバイスは、送信機の完全なセットを用いたチャンネル評価フレームを送信するように構成され、そして、
前記コミュニケーションデバイスは、選択された送信機を用いたデータフレームを択的に送信するように構成され、
前記コミュニケーションデバイスは、すべて同じ価値を含むベクトルをもったヘッダシンボルのスカラーストリームを増やすように構成される。
【００１３】
上記の点から、ワイヤレスリンクを用いた複数の他のコミュニケーションデバイスとコミュニケーションするためのコミュニケーションデバイスが開示される、
前記コミュニケーションデバイスは、複数の送信機を用いた複数のデータストリームを送信するように構成され、
前記コミュニケーションデバイスは、送信機及び強調されて送信される第１のデータストリームを用いることを決定するように構成され；
前記コミュニケーションデバイスは、前記送信機を用いて、及び、送信される第２のデータストリーム強度を用いて決定するように構成され；そして、
前記コミュニケーションデバイスは、セントラルコントローラからの案内を受信するように構成される。
【００１４】
上記の点から、開示される可視光コミュニケーション、ＶＬＣネットワークは、
ドメインマスター、ＤＭ；
前記ＤＭに連携する、複数の中継終点、ＲＥＰｓ、そして、
複数の終点、ＥＰｓ、を有し、
それぞれのＲＥＰは、ＶＬＣリンクではない第１のコミュニケーションリンクをスルーした前記ＤＭ；そして、
ＶＬＣリンクである少なくとも１つの前記ＥＰｓ、第二のコミュニケーションリンク：送信及び受信するように構成され、
各ＲＥＰは以下のように構成される：
ダウンリンク、ＤＬ、前記ＤＭから前記第のコミュニケーションリンクを通じた少なくとも１つのＥＰから前記ＤＬへのシグナル；及び／又は、
アップリンク、ＵＬ、少なくとも１つのＥＰから、前記第１のコミュニケーションリンクを通じた前記ＤＭへのシグナル、
を含む。
【００１５】
上記の点から、ワイヤレスリンクを用いた、複数の他のデバイスとコミュケーションするためのコミュニケーションデバイスのセットが開示されている、
以下に一致する前記コミュニケーションデバイスのセットは、複数のサブキャリア又はタイムスロットを用いた個々のリファレンスシグナルを提供する：ように構成されている、
光学時計リファレンス；そして、
並行して送信されるセット又はストリームにおける複数の送信コミュニケーションデバイス；
送信コミュニケーションデバイスの全てのセット内又は特定のストリーム又は送信機に認識されたの個々のコミュケーションデバイスに関連する認識番号に関する前記タイムスロットにおけるサブキャリア又はシグナルの場所を明らかにし；
前記コミュニケーションデバイスの全てのセット又は特定のストリーム或いは送信機をもって関連付けられた独立したコミュニケーションデバイスから来るシグナルを明らかにするための複数の受信コミュニケーションデバイスを可能にするリファレンスシグナルを送信する。
【００１６】
上記の点から、ワイヤレスリンクを用いた、複数の他のコミュニケーションデバイスとコミュニケーションを提供するための方法が提供される。
以下に沿った複数のサブキャリア又はタイムスロットを用いた個々のリファレンスシグナルを提供する：
光学時計リファレンスを定める複数の受信コミュニケーションを可能とする前記リファレンスシグナル；そして、
並行して送信されるセット又はストリームにおける複数の送信コミュニケーションデバイス；
送信コミュニケーションデバイスのセット全体の内の個々のコミュニケーションデバイスに関する識別番号に関する、又は、特定のストリームあるいは送信機を認識する認識番号に依存したタイムスロットのサブキャリア又はシグナルの場所を定めること、
全体のセットにおけるか又は特定のストリーム或いは送信機に関係する個々のコミュニケーションデバイスから来るシグナルを認識するためのバイスを送信すること、
を、含むことを特徴とする、ワイヤレスリンクを用いて他の複数のコミュニケーションデバイスとコミュケーションするためのコミュニケーションを実現する。
【００１７】
上記の点から、並行して送信されるセット或いはストリームにおける複数の送信コミュニケーションデバイスに依存する特定の波形を選択することにより時間において直角である複数の波形から特定の波形を選択する、
ことを特徴とする、ワイヤレスリンクを用いて他の複数のコミュニケーションデバイスとコミュケーションするためのコミュニケーションを実現するための方法が提供される。
【００１８】
上記の点から、異なる他のコミュニケーションデバイスと通信するため、可変長又は固定長の、
異なったコードを用い、データがそれらに繋がる及び／又はコード分岐マルチプルアクセスに届く他のコミュニケーションデバイスを許可し、
コードの番号、及び／又は、受信した他のコミュニケーションデバイスの番号依存したコードの長さ、及び／又は、チャンネルコンディション、及び／又は、望ましいデータ率に依存して、変化させる、
ことを特徴とする、方法が提供される。
【００１９】
上記の点から、データがそれらに繋がると認識された他のコミュニケーションデバイスを許可するためにハダマードコードされた修正を用い、
ハダマードコードされた修正において用いられた番号を、及び、パルス振幅変調、ＰＡＭの振幅段階の番号を決定するパラメータを、変化させる、
ことを特徴とする、方法が提供される。
【００２０】
上記の点から、光学フロントエンドへＤＣフリー出力シグナルを提供し、前記ＤＣフリー出力シグナルは、エンコード及びシンボルマップされたヘッダ及び／又はペイロードの表現であり；
光学フロントエンドは、変調振幅及び／又はＬＥＤ又はレーザーダイオードのような光学送信デバイスのバイアスである、
ことを特徴とする、方法が提供される。
【００２１】
上記の点から、送信機の完全なセットを用いたチャンネル評価フレームを送信すること、そして、
並行して送信された選択された送信機又はストリームを用いたデータフレームを選択的に送信すること、
を含む
ことを特徴とする、方法が提供される。
【００２２】
上記の点から、複数の送信機を用いた複数のデータストリームを送信すること；
送信機を用い、及び、第１のデータストリームが送信されるよう強調することを、決定すること；そして、
送信機を用い、及び、第２のデータストリームが送信されるよう強調することを、決定すること、
を含むことを特徴とする、方法が提供される。
【００２３】
上記の点から、プロセッサにより要求されたとき、請求項４４〜５３の何れかに記載の方法を実現するためのプロセッサのためにインストラクションを保存する、非一時的なメモリ装置が提供される。
【発明の効果】
【００２４】
上記の通り、本発明によれば、ワイヤレスリンクを用いた、他の複数のコミュニケーションデバイスと通信するためのコミュニケーションデバイスを提供することができる。
【図面の簡単な説明】
【００２５】
【図１．１】本発明の一例に関するコミュニケーションデバイスを示す図である。
【図１．２】本発明の一例に関するコミュニケーションデバイスを示す図である。
【図１．３】本発明の一例に関するコミュニケーションの詳細を示す図である。
【図１．４】本発明の一例に関するコミュニケーションデバイスの構成要素を示す図である。
【図１．４ａ】本発明の一例に関するコミュニケーションデバイスの構成要素を示す図である。
【図１．５】本発明の方法の一例を示す図である。
【図１．６】本発明の機能の一例をグラフとして示す図である。
【図２．１】本発明の一例に関するネットワークを示す図である。
【図２．２】本発明の一例に関する通信マトリクスを示す図である。
【図２．３】本発明の一例に関する通信マトリクスを示す図である。
【図２．４】本発明に係るコミュケーションをの一例示す図である。
【図２．５】本発明に係るコミュケーションの一例を示す図である。
【図２．６】本発明に係るコミュケーションの一例を示す図である。
【図２．７】コミュニケーションのためのワイヤレスリソースを示す図である。
【図２．８】本発明に係るコミュケーションの一例を示す図である。
【図２．９】本発明に係るコミュケーションの一例を示す図である。
【図３．１】本発明に係る変換されたフレームの一例を示す図である。
【図３．２】本発明に係る送信に関するブロックスキムを示す図である。
【図３．３】本発明に係る送信に関するブロックスキムを示す図である。
【図３．４】本発明に係るエンコーダ及びデコーダの一例を示す図である。
【発明を実施するための形態】
【００２６】
図１．１はコミュニケーションデバイス１１０を示す。、前記コミュニケーションデバイス１１０は、可視光コミュケーション、ＶＬＣのような光学コミュニケーションデバイスのためのコミュニケーションデバイスであろう。前記コミュニケーションデバイス１１０は、コミュニケーションをコントロールしたシグナルを処理するためのプロセッサ１１１を含むであろう。前記コミュニケーションデバイス１１０は、少なくとも１つの送信機／受信機１１２、例えば、は発光ダイオード、送信のためのＬＥＤ（ｓ）を含むタイプのエミッタ、及び／又は、レセプションのための光通信を含むか、あるいは接続するであろう。送信機／受信機１１２は、他の外部コミュニケーションデバイスをもったワイヤレスシグナル１１３を送信／受信するであろう。前記コミュニケーションデバイス１１０は、インプット／アウトプット、Ｉ／Ｏ、ユニット１１４、外部のデバイスを伴うシグナル１１５（例えば、電気的なシグナル又は電波周波数シグナル、ＲＦ）を含むであろう。例えば、前記コミュニケーションデバイス１１０は、た（例えば、ウォールやそのようなものに関連付けられた）固定された場所において位置づけられたデバイスか、或いは、モバイルデバイスであろう。
【００２７】
図１．２は、数字１２０に関連した様々なコミュケーションデバイス１１０を示す。コミュケーションデバイス１２０は、例えば、マルチインプット／マルチアウトプットＭＩＭＯパラダイムに関する光学シグナル１１３（例えば、光学シグナル）、複数の送信機／受信機１１２（ブランチ）を含む。
【００２８】
図２．１は、複数の中継終点、ＲＥＰｓ、２１４、及び複数の終点、ＥＰｓ、２１６を含んでいる、ネットワーク２１０又はドメインマスター、ＤＭ、２１２を含むネットワークドメイン示す。
【００２９】
前記ＤＭ２１２は、例えば、プロセッサに基づいたシステムであろう。それは、例えば、ローカル又はリモート又はクラウドベースのコンピュータシステムであろうし、他のデバイスとのコネクション１１１を通じ、接続されているであろう。
【００３０】
それぞれのＲＥＰ２１４は、（例えば、部屋における壁に取り付けられた）固定された位置に位置づけられるであろう。前記ＲＥＰ‘Ｓの場所は前記ＤＭ２１２により知られるであろう。それぞれの前記ＲＥＰｓ及び前記ＥＰｓは、コミュケーションデバイス１１０又は１２０の一つであろう。特に、前記ＲＥＰｓ２１４はシグナル１１３（例えば、光学シグナル）第２の（例えば、光学的）コミュケーションリンク２１８、ＶＬＣリンクであろう、に沿って変更されるであろう。
【００３１】
それぞれのＥＰ２１４はモバイルであり、そして、その場所は前記ＤＭにより優先されて知られていないかもしれない。少なくとも１つのＥＰは、一般的に、他のデバイスをもった、又は他の同じデバイスのユニットをもったシグナル２１９（同一のＲＦシグナル、電気的なシグナル、光学的なシグナル、等）を通じて、通信するかもしれない。
【００３２】
他のトポロジーは他のサンプルにおいて用いられるであろう。
【００３３】
前記ＲＥＰｓ２１４は、前記ＤＭ２１２から前記ＥＰｓ２１６（しかし光学形式ではない）へ送信された必ず中継するデバイスであろう。前記ＤＮから前記ＥＰｓ（ダウンリンク、ＤＬ）へシグナルが中継されるとき、それぞれのＲＥＰ２１４はいくつかの前記ＥＰｓ２１６、例えば、それらＥＰｓ２１４が“可視的”（例えば、成功的なコミュケーションを確立する）へシグナル１１３を送信するであろう。
【００３４】
決定論を増加させるためには、異なるコミュケーション及び／又はデバイスに対し、ＤＭの事前の割り当て（例えばスケジュール）ワイヤレスリソース（タイムスロット、色周波数バンド、等）、が、２つの異なるＥＰｓ又はＲＥＰｓにより送信されたシグナル間の衝突を避けるようにすることが、一般に好ましい。それゆえ、前記ＤＭは、コンテンションフリーなワイヤレスリソースを好適に定める。
【００３５】
かかわらず、若干の議論ベースの資源は一般に定められる。これは、例えば、前記ＤＭとのコミュニケーションをスタートするための新たなＥＰの強さの可能性があるからである。ＥＰは動くかもしれないか、ネットワーク２１０のカバーエリアの中に動かされるかもしれないない。そのため、ＲＥＰｓでコミュニケーションを始めることができる：それゆえに、ＥＰはその存在を合図する。もう一つの可能性は、ＥＰがネットワーク・システムの活動の間、スイッチを入れられて、ＤＭと通信するつもりであるということである：敏感なＥＰは、その存在を示す。
【００３６】
この可能性を許すために、ＤＭは、全体によってＲＥＰｓ２１４にリレーされる一般的なフレーム（例えば、「ビーコン・フレーム」）を定期的に送るかもしれない。ビーコン・フレームは、若干のデータフィールドにコード化されて、存在するならば、新しいＥＰが彼らの存在を合図する資源を指定するかもしれない。したがって、ネットワークの一部であるつもりであるすべてのＥＰは、ＤＭによって示される資源の中に、伝達を送る。
【００３７】
したがって、一般に、若干の議論ベースの資源を許す必要性がある。そこにおいて、複数の新しいＥＰの危険性が同時に彼らの存在を合図することにある。
【００３８】
」
それが候補者がコミュニケーションを中で行うということである点に注意される、：
− 最初のＥＰは、別々の数の副搬送波で、最初の櫛状パイロット・シーケンスを送る；
そして、２枚目のＥＰは、別々の数の副搬送波で、第２の櫛状パイロット・シーケンスを送る。
【００３９】
少なくとも１つのＲＥＰが１および２枚目のＥＰの各々に関してＶＬＣリンク２１８に関連する測定基準を決定するのを許すように、第２の最初の櫛状パイロット・シーケンスの副搬送波は、最初の櫛状パイロット・シーケンスの副搬送波に関して移されるかもしれない。
【００４０】
例は、図１．３に示される。
ビーコン・フレームで合図される議論ベースのワイヤレス資源で、２枚の異なるＥＰ  ２１６‘と２１６“は、ＲＥＰ  ２１４にワイヤレス変速装置１１３’と１１３”を送ることによって同時にＤＭと通信しようとする。第２の櫛状パイロット・シーケンス１３１“が副搬送波Ｓ３とＳ７から成るだけの間、最初の櫛状パイロット・シーケンス１３１‘は副搬送波Ｓ１とＳ５から成るだけである。特に、２回目の連鎖１３１”の副搬送波は、最初のシーケンス１３１’の副搬送波Ｓ１とＳ５に関して２つの位置の移される。（交替制がそうであるかもしれない他は定めました：たとえば、３つの位置を移す場合には、２回目の連鎖１３１“は副搬送波Ｓ４とＳ８を示す。）櫛状パイロット連続ごとに、非占められた副搬送波は、無効かもしれない（例えば、ごみ箱の０の大きさ）。
【００４１】
ＲＥＰ２１４によってシーケンス１３１‘と１３１“の構成は、シーケンス１３１’と認められる。したがって、２つのパイロット・シーケンス１３１‘と１３１“は、衝突しない。シーケンスの間のシフト位置から、ＥＰ２１６’と２１６”から情報を得ることは、ＲＥＰやＤＭにとって可能である。
【００４２】
図１．３の例に、４枚のＥＰは、同時に伝えるかもしれない。しかし、副搬送波の数が増加するならば、ＥＰからＲＥＰｓまでより多くの譲渡に決定論的に対応する可能性がある。
【００４３】
さらに、容認されているシーケンス１３１‘から」ＲＥＰ２１４は、品質、良質な情報（ＣＱＩ）を向けるほどであるもの、チャンネル州情報（ＣＳＩ）、などに関して関連２１８や測定基準に関して測定基準を測るかもしれない。得られた測定基準は、ＤＭ２１２に合図されるかもしれない。
【００４４】
逆のプロセスも、可能である：１枚のＥＰは異なるＲＥＰｓから櫛状パイロット・シーケンスを受け取るかもしれないので、処置に関しては、測定基準はＲＥＰｓ２１４を通してＤＭ２１２に関連やコミュニケーションの品質に、そして、その後、信号に合わせて彼らを結びつけた。「ビーコン・フレーム」（下記参照）がＲＥＰｓを通してＤＭからＥＰまで送られるとき、たとえば、これが起こるかもしれない。したがって、ＥＰは、１つの一つの測定セッションでチャンネルに関連する測定基準を測るかもしれない。
【００４５】
役に立つ無線信号（例えば、個々の発生基準信号のためにおよび／または他の目的のために）（例えば櫛状信号（例えば、櫛状パイロット・シーケンス））の世代のための面は、ここで議論される。たとえば、光信号（例えば、視覚の光信号）は特に議論される。面は、上述のトポロジーや装置に及び／又は他の、異なるトポロジーや装置に関するものかもしれない。
【００４６】
時間領域（ＴＤ）で類似した手順を定めることもできる。時間枠は、上の例で、副搬送波を代えるかもしれない。
【００４７】
図１．４は、コミュニケーションデバイス１４０に関する例を表す。若干の例で、装置１１０、１２０、２１４、２１６はコミュニケーションデバイス１４０の１つである。コミュニケーションデバイス１４０は信号発生器１４１から成るかもしれない。そして、それは出力信号１４２を生み出すようにハードウェアで及び／又はプログラミングにおいて実行されるかもしれない。そして、それはデジタルであるかアナログ信号であるかもしれなくて、時間領域（ＴＤ）で、又は、周波数領域（ＦＤ）で記述されるかもしれない。出力信号１４２はエミッタ（例えば、エミッタ１１２）に提供されるかもしれなくて、レシーバー（それは、順番に１１０、１２０、２１４、２１６のうちの１つであるかもしれない）に提供されるかもしれない（例えば、無線信号１１３として）。
【００４８】
信号発生器１４１は、以下の情報の少なくとも１つで入力されるかもしれない：
−     頻度であるかもしれない情報１４３は、光学時計参照（または率）（ＯＣＲ）に関してあらかじめ定義されたＯＣＲのコレクションの間で選んで、もっとその１ＭＨｚの価値を持っているかもしれない；
及び／又は
−     ネットワーク（例えば、図２．１の中の３枚のＲＥＰｓ＋３ＥＰ＝６台のコミュニケーションデバイス）または伝達物質（例えば、ＬＥＤエミッタ１１２）（例えば、図１．２の中の３つのＬＥＤエミッタ；）の中にコミュニケーションデバイスを送ることの数に関連する情報１４４
または送られる流れ；
および／または、識別番号に関する情報１４５はコミュニケーションデバイスを個々に特定するコミュニケーションデバイス（例えば、中程度のアクセス制御、ＭＡＣ、応対）に結びつきました、または、ＩＤ番号は流れに関連する特定の送信機（例えば、ＬＥＤエミッタ）または鑑定人に結びついた。
【００４９】
適切に基準信号や櫛状信号１４２（例えば、櫛状パイロット・シーケンス）を生み出すことができる点に注意された。
例に、信号１４２は直角信号であるかもしれない。
追加または選択肢に、信号１４２が、コミュニケーションデバイス、送信機（例えば、ＬＥＤエミッタ）や流れをユニークに特定するために使われるかもしれない。
【００５０】
信号１４２は櫛状信号（例えば、櫛状パイロット・シーケンス１３１‘または１３１“として使われる）であるかもしれなくて、位置（例えば、４つの位置）の特定の数のために互いから遠く離れている副搬送波（例えば、装置２１６’のためのＳ１とＳ５；、そして、装置２１６”のためのＳ３とＳ７）を提示するかもしれない。副搬送波の間の距離は、櫛状信号ごとに固定されるかもしれなくて、同じネットワークのすべての櫛状信号のための同じことであるかもしれない。
【００５１】
図１．４ａは信号発生器１４１ａのより詳細な例を表す。そして、それは主にＦＤで動く。発電機１４１ａは、情報１４３、１４４、１４５で入力されるかもしれない。
【００５２】
発電機１４１ａは副搬送波位置規定するもの１４６から成るかもしれない。そして、それは信号１４１の副搬送波の間で相対的な位置を定めるかもしれない。副搬送波位置規定する１４６は、以下を考慮するかもしれない：
−     ＯＣＲの別々の数から選ばれる頻度であるかもしれなくて、もっとその１ＭＨｚの価値を持っているかもしれない光学時計参照（または率）（ＯＣＲ１４３）に関する情報１４３；
及び／又はネットワーク（例えば、図２．１の中の３枚のＲＥＰｓ＋３ＥＰ＝６台のコミュニケーションデバイス）または伝達物質（例えば、ＬＥＤエミッタ１１２）（例えば、図１．２の中の３つのＬＥＤエミッタ；）の中にコミュニケーションデバイスを送ることの数に関連する情報１４４
又は送られる流れ。
【００５３】
一般用語で、固定長の時間枠には、ＯＣＲがより速いほど、副搬送波が櫛状信号のためにより使われるかもしれない。信号櫛状パイロット・シーケンス１３１に関して、８副搬送波Ｓ１…Ｓ８は可能である。しかし、ＯＣＲを増やすことによって、まあ、１６の副搬送波などを持っている可能性がある。
【００５４】
アカウントに保たれるかもしれないもう一つのパラメータは、コミュニケーションデバイス（および／または送信機や流れ）を送ることの数である。通信装置（または送信機または流れ）がよりネットワークにあるほど、スペース（例えば、ＤＭによって割り当てられる資源）はより必要で、例えば、同じ信号の副搬送波の間で、それとして他の装置の副搬送波の余地を残すのに必要である。
【００５５】
くし要因Δは定められるかもしれない。そして、それはアカウントに他のコミュニケーションデバイス、送信機や流れの数をネットワークに参加させ続ける。したがって、くし要因Δは、ネットワークにコミュニケーションデバイス、送信機や流れを送ることの数に関連する情報１４４の例を代表するかもしれない。
例に、Δ−１まで、コミュニケーションデバイスは参加するかもしれない。
情報１４４の更なるであるか他の例が、使われるかもしれない。
【００５６】
ＯＣＲ１４３に基づいて、そして、情報１４４（例えば、くし要因Δ）の、同じ装置（または送信機または流れ）の副搬送波の間の相対的な位置は、副搬送波位置規定するもの１４６で定められるかもしれない。櫛状構造では、彼らが他の装置、送信機または流れの副搬送波によって占められるかもしれなくて、空所位置は少しの副搬送波によってもふさがっていない。副搬送波位置規定するもの１４６の出力は、幻のような領域のシーケンスＺであるかもしれない。
【００５７】
副搬送波のポスト規定するもの１４６は、偽雑音シーケンスＡＬのそばに入力されるかもしれない（たとえば、ゴールド・シーケンスは、どれであるかもしれないか、アネックス）、また、１４９で示される。
くし要因Δがより大きいほど、ゴールド・シーケンスの長さは、より少ない。
出力シーケンスＺを得るために、偽雑音シーケンスＡＬは、くし要因Δ（更なる位置は大きさ０を持っている）によってアップサンプリングされているかもしれない。
【００５８】
したがって、出力シーケンスＺは、副搬送波シフター１４７に提供されるかもしれない。そして、それは順序Ｚで副搬送波を移すかもしれない。シーケンスＺは、情報１４５によって引き出されて、コミュニケーションデバイス、送信機または流れの識別番号に注意するいくつかの位置Ｓによって移されるかもしれない（例えば、右方向または左方向の方へ回転される）。
【００５９】
図１．４ａに示されないブロックでは、最終的なシーケンスＦを得るために最終的な配列（例えば、シーケンスをさらに処理することによって）を形成する可能性がある。
【００６０】
ＩＦＦＴ遮断（またはＦＤ信号をＴＤ信号に変換するためのもう一つのブロック）は、信号１１３としてＬＥＤエミッタで送られる最終的な信号１４２を得るために実行されるかもしれない。
【００６１】
たとえば、参照配列や櫛状信号を造るための発電機１４１または１４１ａによって、図１．５は、例（それは実行されるかもしれない）によって、方法を表する。
【００６２】
ステップ１５１で、ＯＣＲ、ＡＬ、Δ、Ｓに関する情報は、得られる（例えば、情報１４３、１４４、１４５、１４９）。ＡＬ（「塩基配列」）は、以下のテーブルによってＬを選ぶことによって得られる：
【００６３】
2020532899.tif 000003
【００６４】
その後：
ステップ１５２で、一定の偏り０．５は、ＡＬ（他の価格は選ばれるかもしれない）から引かれる。
【００６５】
ステップ１５３で、ＡＬはくし要因Δによってアップサンプリングされている。
【００６６】
ステップ１５４（そしてそれは、副搬送波シフター１４７によって実装されるかもしれない）で、Ｓサンプルによる循環シフトがシーケンスＺを与えているシーケンスＹに申し込むこと。シーケンスＺは、Ｌｚ＝Ｌ＊Δの長さを持っている。Ｓの価値は、特定の流れまたは送信機を特定して、ＰＨＹ  ＳＡＰを通してＭＡＣによって定義される。
ＭＡＣ層は、レシーバーでシフトＳ＝Δ−１を雑音評価のために取っておくかもしれないない。
【００６７】
ステップ１５５で、Ｆ＝に続く配列Ｆは、形成される［０  Ｚ（１：ＬＺ−１）０  Ｚ（ＬＺ−１：−１：１）］。
これは、次のステップ（若干の例において、これは必要でない）において、Ｈｅｒｍｉｔｉａｎ左右対称を実行する。シーケンスＺからの最初のＬＺ−１サンプルが二回使われて、オリジナルで最初で、それから逆にされた順序であることに注意すべきである。
【００６８】
ステップ１５６で、シーケンスＦは、与えられた流れまたは送信機に特有な実数値のＲＳを常に与える逆の高速フーリエ変換（ＩＦＦＴ）に通される。
【００６９】
ＴＤの基準信号に関する議論と更なる例は、たとえば、セクション３．１．２．２．３．２で提供される。
【００７０】
上の例に、異なる装置や送信機は周波数領域（ＦＤ）基準信号を送るかもしれない、及び／又は、櫛状シーケンスは発生するかもしれない。そして、それは互いに関して直角かもしれない。
【００７１】
例に、時間領域で基準信号を生み出すこともできる。そして、それは互いに関して直角かもしれない。たとえば、ＨＫがｋ＝１…Ｋからｋを増加させることによって反復して得たアダマール・マトリックスを生み出すことが、できる。
【００７２】
2020532899.tif 000004
【００７３】
ＦＤの基準信号に関する議論と更なる例は、セクション３．１．２．２．３．１で特に提供される。
【００７４】
基準信号がＴＤまたはＦＤで発生して中にあるかどうかにかかわらず、それを生み出して、身体のヘッダ（図３．１、数字３１２と３１８ならびに下記の説明を見てください）のオプションのフィールドの一部として伝えることができる。
基準信号は特定のアナログ波形であるかもしれない。そして、それはコミュニケーションデバイスまたは送信機またはデータストリームに関連する。
特に、たとえば、他のデータは、異なる変調スキームを用いて送られるかもしれない。
異なる送信機または異なるコミュニケーションデバイスは、異なるアナログ波形、基準信号や櫛状シーケンスに一般に関連して、したがって、ユニークに特定される。
例に、特定の波形は、複数の波形から選ばれるかもしれない。
【００７５】
基準信号１７１（それは信号１３１’（１３１’’）の例であるかもしれなくておよび／
または、発電機１４１や１４１ａによって発生する信号１４２であるかもしれない）が信号１７２と１７３（図１．６の場合のように信号進化は異なる戦略と技術に従って変わるかもしれない）の間で発生する例を、図１．６は表する。
特定の変調スキーム（例えば、それぞれ、すべての他のデータを送るために（例えば構造３２０または３３０の要素を用いて）使われる変調スキームは、下で、そして、特にセクション３．１．２．３と３．１．２．４で討議した）を用いて信号１７２と１７３が発生する間、波形１７１は発電機１４１を用いて得られるかもしれないか、１４ａや方法１５０（または上下で議論される他の技術）であるかもしれない。
たとえば、装置が選ぶかもしれないコミュニケーション：
−     波形１７１を送るための発電機１４１または１４１ａ；
−     ヘッダの他の部分を送るための構造３２０の要素；
−     ペイロードを伝えるための構造３３０の要素。
【００７６】
他のコミュニケーション遺贈または送信機で同時に送られる他の波形に、ＴＤまたはＦＤにおいて、波形１７１は直角かもしれない。
【００７７】
この世で、無線リンク［例えば無線光学的リンク］（他のコミュニケーションデバイス［たとえば、他のコミュニケーションデバイスをデータがどれであるかについて確認させることが、彼らに、たとえば、符号分割多元接続を成し遂げるように導きました］で異なるものでコミュニケーションのために異なるコード［例えば一定であるか様々な長さの異なるコード］を使用するように、コミュニケーションデバイスは構成される）を用いてコミュニケーションデバイスがコード［たとえば、いくつかの受け入れ「他の」コミュニケーションデバイスに対する依存で、および／またはチャンネル状態に関するおよび／または望ましいデータ信号速度に対する依存の依存で］のいくつかのコードや長さを変えるように構成されるその点でとコミュニケーションデバイスが一種のパルス振幅変調［例えばパルス振幅変調のいくつかの振幅ありさま］［例えば２−ＰＡＭ、４−ＰＡＭ．８−ＰＡＭと１６のＰＡＭの間のスイッチに］［たとえば、いくつかの受け入れ「他の」コミュニケーションデバイスに対する依存で、および／またはチャンネル状態に関するおよび／または望ましいデータ信号速度に対する依存の依存で］を変えるように構成されるその点でを複数の他のコミュニケーションデバイス［例えば光学的コミュニケーションデバイス］に知らせるためのコミュニケーションデバイス［たとえば、光学的コミュニケーションデバイス］は、明らかにされる（例えば、第３節で）。
【００７８】
無線リンク［例えば無線光学的リンク］（コミュニケーションデバイスはアダマール・コード化変調を使うように構成される）を用いて複数の他のコミュニケーションデバイス［例えば光学的コミュニケーションデバイス］と通信するためのコミュニケーションデバイス［たとえば、光学的コミュニケーションデバイス］も明らかにされる（例えば、図３．３参照）［たとえば、他のコミュニケーションデバイス［光学的無線によってたとえば、リンク；たとえば、他のコミュニケーションデバイスをデータがどれであるかについて確認させることが、彼らに監督したたとえば、符号分割多元接続を成し遂げるために；］（パルス振幅変調（ＰＡＭ）［たとえば、いくつかの受け入れ「他の」コミュニケーションデバイスに対する依存で、および／またはチャンネル状態に関するおよび／または望ましいデータ信号速度に対する依存の依存で］のいくつかの振幅ありさまを決定しているアダマール・コード化変調とパラメータＭでいくつかの使い古したコードを変えるように、コミュニケーションデバイスは構成される）で異なるものによるコミュニケーションのために。したがって、広範囲の上にデータ信号速度をチャンネルの変更された状況に適応させることが、できる。
【００７９】
無線リンク［例えば無線光学的リンク］を用いて複数の他のコミュニケーションデバイス［例えば光学的コミュニケーションデバイス］と通信するためのコミュニケーションデバイス［たとえば、光学的コミュニケーションデバイス］は明らかにされる、コミュニケーションデバイスが構成される、そして、拡張ヘッダ・データユニットをリード−ソロモン−コード・ベースの前の誤り訂正［例えば誤り訂正］に入力するために、エラー寛容なデータユニット［たとえば、ヘッダ情報を意味しているエラー寛容なデータユニット］を得るために、拡張ヘッダ・データユニット（ヘッダ情報［たとえば、物理層サービス・データユニットのフレーム・タイプと長さを記述する、物理層ヘッダ］は複製される［例えば繰り返されるか、複数回コピーされる］）を得てください。
とりわけ、セクション３．２．１を見てください。
【００８０】
無線リンク［例えば無線光学的リンク］を使っていて、それを成っている複数の他のコミュニケーションデバイス［例えば光学的コミュニケーションデバイス］と通信するためのコミュニケーションデバイス［たとえば、光学的コミュニケーションデバイス］も、明らかにされる（例えば、セクション３．１．２．３．５（３．１．２．４．５）で）：
−     デジタル処理装置［たとえば、ヘッダやペイロードをコード化するために、そして、ヘッダのおよび／またはペイロードのビットを変調シンボルにマップするために］；
そして、
−     光信号を送るための光学フロントエンド；
そこで、光学フロントエンド［ＤＣのない出力信号がヘッダのおよび／またはペイロードのコード化されてシンボルを図にされた表現であるかもしれない］［光学ものは、前処理する（たとえばアナログ光学フロントエンド）変調振幅や光学的送っている装置（発光ダイオードまたはレーザーダイオードのような）の偏りをセットするかもしれない］にＤＣのない出力信号を提供するように、デジタル処理装置は構成される。
【００８１】
無線リンク［例えば無線光学的リンク］（コミュニケーションデバイスは［例えば光学の］送信機［例えば発光ダイオードまたはレーザー］の完全なセット［またはフルセット］を用いてチャンネル評価フレーム［例えば「調査フレーム」］を送るように構成される）を用いて複数の他のコミュニケーションデバイス［例えば光学的コミュニケーションデバイス］と通信するためのコミュニケーションデバイス［たとえば、光学的コミュニケーションデバイス］も明らかにされる（例えば、セクション３．１．２．３．４で）、そして、そこで、コミュニケーションデバイスは選ばれた［例えば光学の］送信機［本当のサブセットまたは完全なセットの適切な感覚のサブセットであるかもしれない］を用いて選択的に、データフレーム［例えばデータや構成情報から成っているフレーム］を送るように構成される。
【００８２】
無線リンク［例えば無線光学的リンク］（コミュニケーションデバイスは複数の送信機［望ましくは光伝送器］を用いて複数のデータストリームを送るように構成される）を用いてコミュニケーションデバイスが送信機の、そして、データストリームの最初がどの強さであることになっているかを用いたどちらが伝えたかを使用して決定するように構成されるその点でを複数の他のコミュニケーションデバイス［例えば光学的コミュニケーションデバイス］に知らせるためのコミュニケーションデバイス［たとえば、光学的コミュニケーションデバイス］も、明らかにされる（例えば、セクション３．１．２．４．７で）；
そして、そこで、コミュニケーションデバイスは、送信機の、そして、データストリームの１秒がどの強さであることになっているかを用いたどちらが伝えたかを使用して決定するように構成される。
【００８３】
上下で例は、その代わりにコミュニケーションデバイスに、一組の複数のコミュニケーションデバイスに言及するかもしれない。
セットは、複数の他のコミュニケーションデバイスと通信するかもしれない。
【００８４】
とりわけ、調整されたＶＬＣネットワーク操作の中程度のアクセス手続きから成っている例
【００８５】
このセクションは、とりわけ、多点への多点モードで作動しているＶＬＣネットワークの調整された活動の一般的なＭＡＣ手続きを提案して、重要なフィールドの必要条件について述べる。
【００８６】
この貢献の目的が可能にすることになっている導入は、高いＱｏＳ条件がある産業の無線シナリオで、可視光コミュニケーション（ＶＬＣ）を使用して、ＭＰ２ＭＰ（多点への多点）コミュニケーションのために、作動を調整した。
したがって、高い関連有効性と低い潜在性は必要とされる。
提案は、複数の明りと複数のモバイル機器からなるＶＬＣネットワーク全体のための中央で調整された中程度のアクセス（ＭＡＣ）プロトコルである。
【００８７】
この貢献の我々の一般的なアプローチは、産業の無線シナリオで障害を考慮するとＶＬＣのために一般的なＭＡＣを提案して、最初は一般的な方法の必須のフィールドを定めるｉ）やこれらのフィールドの機能がどのように物理層としてＧ．ｈｎ／Ｇ．ｖｌｃを用いて実現されることができるかについて指定するｉｉ）である。
意図された機能をすでに定められることと比較することによって、実施は明白になる、既存の仕様の隙間は確認されることができる。
【００８８】
２．２
既存のシステムＶＬＣに関する議論は、近年ホットな研究トピックでした。
大部分の出版物はＶＬＣのアプリケーションをＷｉ−Ｆｉ（Ｌｉ−Ｆｉとして作られる）を置き換えまたは補うものと屋内のシナリオで思いる、そこで、あらゆる電球が無線アクセス・ポイントとして使われる。
しかし、それがあらゆる電球で、そして、モバイル機器に集積されることができるかなりのボリューム、低コスト、低いエネルギーと小型化されたコミュニケーション・フロントエンドに挑戦していて、必要として、工業はまだこの考えについて懐疑的である。
これらの挑戦が長期に応じられることができるだけであることが明白だったので、最近の研究はより近い将来現実になることができる、Ｌｉ−Ｆｉの高い必要条件が和やかでありえる、そして、光がラジオとの永遠の競争でその独特のセールスポイントに影響を及ぼすことができる新しい使用事例の上へ見ていた。
【００８９】
最初のそのような新しい使用事例は、小さいラジオ・セルで後ろ運搬無線である。
それらの小さいラジオ・セルは、各々の屋外の照明器具上にたぶんインストールされるでしょう。
したがって、後ろ運搬ＶＬＣは、関係のある照明の分野に関連がある。
第２には、産業の無線通信の新しいフィールドがある。そして、それはいわゆる将来のソフトウェア定義の製造（ドイツのＩｎｄｕｓｔｒｉｅ  ４．０として意味される）のための鍵となるイネーブラと思われる。
現在有線の通信を克服して、ワイヤーを取り外すことは、個別化した製品を製造するためにより多くの柔軟性を理解する重要なステップと思われる。
この頃は無線周波スペクトルがこれらの製造ホールですでに過密であるので、ＶＬＣは鍵となる役割をここで演ずることができる、そして、ＶＬＣは限界なしで使われることができる、新しい、未使用スペクトルを持ってくる。
最後に、Ｌｉ−Ｆｉに対する更なるステップとして、それがよく局所化されることができて、壁を通してしみ出ないので、例えば安全な無線会議室が銀行にある企業シナリオはワイヤレス媒体（ラジオの代わりに）として光を用いて理解されることができた。
【００９０】
２つの後の使用事例は、ユーザーが一つの光の領域に、そして、他への１つの光から動くとき、継ぎ目のない連結性をサポートする完全にネットワーク化された無線テクノロジーとしてのＬｉ−Ｆｉの鍵となる特徴と考えられる機能をすでに必要とする。
２Ｇ（５Ｇの方の３Ｇと４Ｇと進行中の議論）のその世代で、そのような相関性は、セル式移動無線電話ですでに広く進展する。
５Ｇは、百メーター範囲にわずか１０で小さいｍｍ−波セルを含むと思われる。
彼らが、規模によって地域能力を増やすために、５Ｇの第二段階に、多分使われるでしょう。
それに応じて、ＶＬＣは、１または多くても数メートルの直径で、さらにより小さいセルとさらにより高い地域能力を認識する。
【００９１】
セルネットワークのテクノロジーをＬｉ−Ｆｉに再生利用することは、一目で明らかなようでありえた。
それにより近く見えて、しかし、このアプローチは、存続可能でない。
関連した複雑さと３０年以上の間導入される下位互換性の必要条件と共に、セルネットワークには、長い歴史がある。
さらに、モバイル・ネットワークの鍵となる概念は各々のセルを孤立したトランシーバーと考えることである。そして、特定の距離で同じワイヤレス資源を再利用する。
それゆえに、セルネットワークは常に干渉限られた方法で作動する。そして、同じワイヤレス資源を再利用している他のトランシーバーで制限される。
４Ｇの開発終了後、新しい協力ネットワーク技術は調査されました。そこにおいて、セルの一群は共同で何人かのユーザーに奉仕する。
【００９２】
調整された伝達により、無線通信はそれが特に今日セル端にあるより非常に信頼できるようになることができる、そして、そのうえ、より高い全体的なスループットはこのように成し遂げられることができる。
明らかな利益が理論的には、そして、実験的に示される間、調整されたネットワーク・トポロジーは高度な柔軟性を必要とする、そして、さらに、それは従来のセルネットワーク設計と絶縁する。
したがって、それは４Ｇで帰航ネットワークアーキテクチャと互換性がなかった。
この状況は、テクノロジーが４Ｇへのアドオンとして紹介されるのに十分成熟していないという結論につながりました。
それでも、これらの調整された無線ネットワーク概念は、発明者に、新しい５Ｇのモバイル・ネットワークの前後関係で持ち出されて、有望でありそうに見える。
【００９３】
５Ｇの準備において、新しいｆｒｏｎｔｈａｕｌ概念は、機動性を維持するが、セルのダイナミックな一群を使用して無線信号を送信および受信するという主要な意向で調査された。
より低ＭＡＣ層と物理層が意図されたカバーエリアに配布される「口のきけない」遠いラジオ・ヘッドに置かれる間、より高いＭＡＣ層官能性の一部はこれらの新しいｆｒｏｎｔｈａｕｌ概念で集中される。
より高いＭＡＣ層の機能は、通常ソフトウェアで実装されることができる、そして。このように、仮想化して、クラウド・ネットワークではどこかの必需品ハードウェアの上ですなわち動いて、そして、集中化したコントローラとして行いる。
この新しい概念は、クラウド・ラジオ・アクセス・ネットワーク（Ｃ−ＲＡＮ）としても意味される。
ＶＬＣが５Ｇまたは以下のモバイル・ネットワークと統合されるので、早くからその仕様でＣ−ＲＡＮ概念を考慮することは賢い。
【００９４】
例えば製造独房で、例えば壁のそばの他の地域から分離される限られた地域では、小さいＶＬＣセルのネットワーク全体のために一つの集中化したコントローラを考慮するのは、もっともである。
ｆｒｏｎｔｈａｕｌ概念と中央制御装置と遠いラジオ・ヘッドの間で機能を分配するための点は、最近広く議論された。
現在モバイル・ラジオの分野でさえ行方不明であることは、集団支部の使用を支持するＭＡＣ層で、Ｃ−ＲＡＮが１つのセルの中で、そして、セルの間でユーザーの機動性に続くのを許する。
【００９５】
最初の機能に関して、それはいわゆる関連適合によって実行される、そして、それはすでに無線ＭＡＣの一部である。
しかし、２Ｇ、３Ｇと４Ｇにおいて、第２の機能は１つのセルから他まで移譲手順を用いて実行される、そして、中で干渉はいわゆる機動性管理実体（ＭＭＥ）で加えてなんとかした。
移譲とＭＭＥは、５Ｇの中心的なネットワークの一部と考えられて、基本的にモバイルＭＡＣの機会の外にある。
【００９６】
新しいＣ−ＲＡＮ概念において、移譲と干渉管理機能は、現在ＭＡＣの一部と考えられる。
利点は決定が無線チャンネルにより近くなるということである、そして、システムはかなり減少した遅れで、そして、４Ｇでより信頼できるファッションで機動性を追うことができる。
これは、ＶＬＣのために考慮される産業の無線通信のような新しい使用事例のいくらかのために、実際必要とされる。
より高い信頼性は一般に調整された多点放送で支えられることができる。そして、それの最も単純な形はマクロ多様性である。
下の潜在性にＲＡＮの中に機動性に関連した決定をすることによって達することができて、更なる遅れを持ち出す中心的なネットワークを含むことができない。
【００９７】
Ｃ−ＲＡＮ前後関係には欠けていることは、多様な機能的な分裂による新しいｆｒｏｎｔｈａｕｌ概念の他に、ＭＡＣ層のためのまったく新しい概念である。そして、それはモバイルＭＡＣ層に中心的なネットワークからこれらの重要な機動性機能を動かすことによって調整された多点放送と低い潜在性を可能にする。
比較的、現在の貢献の目的は、新しい無線ＭＡＣに関する議論を始めることになっている弱まることの欠如のため、ラジオより単純であるＶＬＣの前後関係。
しかし、また、学習項目が移動通信のために電波を使うことにＶＬＣの他に適用できるものと理解される。
【００９８】
とりわけ、このセクションの貢献は、以下から成りる：
世界的で、地域で、ローカルな放送へのＭＡＣ層機能の分離
適切な世界的で、地域で、ローカルな枠組みとフィールドの一般的な定義
重要なＭＡＣ層手順（ネットワーク、マルチセルチャンネル評価、フィードバック送出と共同の伝達と発見に加わることのような）。
一般的な機能は、Ｇ．ｈｎ／Ｇ．ｖｌｃの特徴を働かせることを理解した。
【００９９】
２．３  トポロジー例
【０１００】
ＶＬＣ領域（例えば、ネットワーク２１０）は、領域マスター（ＤＭ）２１２、その関連する中継終点（ＲＥＰｓ）２１４と終点（ＥＰ）の２１６から成るかもしれないと、図２．１が参照される。
例で、ＲＥＰｓ  ２１４とＥＰ  ２１６の間の１本の無線ホップ（２１８）とＤＭと各々のＲＥＰ間の信頼できる、望ましくは固定ネットワーク・リンク２１７だけがある。
【０１０１】
通常、例えば彼らが壁のそばで別れて、可視性が異なるＶＬＣ領域の間にない。
さもなければ、異なる領域の直角活動は、メーカーの問題として残されて、例えば異なるＬＥＤ波長、別々の時間枠または他の周波数帯を用いて認識されることができる。
他のＶＬＣトポロジー（Ｐ２Ｐ、Ｐ２ＭＰ、非調整されたＭＰ２ＭＰ）は、直角であると思われもして、厳しいＱｏＳ条件が目標とされる調整されたトポロジーにも干渉しない。
【０１０２】
例えば、ＲＥＰｓ  ２１４は照明インフラの一部として固定された場所に置かれるかもしれない。
ダウンリンクにおいて、ＲＥＰｓは、領域マスター（ＤＭ）からＥＰまで来ているフレームを伝達する。
アップリンクに、ＥＰから始まっているフレームはＲＥＰｓによって伝達されて、インフラ・ネットワークに進められる。そして、ＤＭで終わる。
【０１０３】
ＤＭ  ２１２が、必ずしも専用の身体的な装置であるというわけではない。
その機能は仮想実体によって取り扱われるかもしれないか、ＲＥＰと同じ位置に配置されるかもしれないか、雲に置かれるかもしれない。
ＤＭには、ＶＬＣネットワークでＥＰの機動性を支えるために、データと制御飛行機能力がある。
【０１０４】
データ平面では、ＤＭ  ２１２は、インフラ・ネットワークで能力を進めている高性能な箱を提供するかもしれない。
それは、柔軟に割り当てられたＲＥＰｓとインフラ・ネットワークでモバイルＥＰのアップリンクとダウンリンク通行車を操縦することができる。
さらに、ＤＭ  ２１２は重要なＭＡＣ層機能（例えば伝達点の安全、転送と選択）を引き継ぐかもしれない。
【０１０５】
制御飛行機で、彼らが隣接したＥＰ  ２１６の間で直角に扱われて、より遠くのものの間で広範囲に再利用されるように、ＤＭ  ２１２はワイヤレス資源を割り当てる。
ワイヤレス資源は、時間枠とものＲＥＰまたは共同の伝達と発見のために使われる複数のＲＥＰｓの一群でありえる。
【０１０６】
２．４
一般的な中程度のアクセス・プロトコル
【０１０７】
産業の無線シナリオでは、高いＱｏＳ条件による重大な渋滞は、望ましくはいいえまたは議論ベースの伝達機会（ＣＢＴＸＯＰｓ）のほとんど使用でないのをする。
ＣＢＴＸＯＰｓは、より厳しくないＱｏＳ条件があるアプリケーションのための例外と思われるだけである。
使われるならば、限られた報道で誘導された明りのために、そして、隠れた終端の問題を解決するために可視性問題を解決するために、ＣＢＴＸＯＰｓは伝達の前にＲＴＳ／ＣＴＳメカニズムを使わなければならない。
【０１０８】
議論のない中程度のアクセスは、主要な活動モードと思われる。
調整されたネットワーク・トポロジーにおいて、それはＲＥＰｓを通してＤＭとＥＰの間でＶＬＣ放送の議論のないスケジューリングに基づく。
したがって、すべてのノードは同期しなければならなくて、直角方法でチャンネルにアクセスしなければならない。
（ＲＥＰｓとの同期がネットワーク・インフラでＰＴＰグランドマスターからＩＥＥＥ  １５８８ｖ２精度時間プロトコル（ＰＴＰ）を使用して成し遂げられることができる間、また、モバイル終点は無線ＶＬＣリンクについてＰＴＰを支えなければならない。）
【０１０９】
従って、放送はＣＦＴＸＯＰｓを割り当てられて、中で上演されるだけである。
定期的に、ＤＭは、スケジューリング・アルゴリズムを用いて全調整されたＶＬＣトポロジーに有効である全体的な中程度のアクセス案（ＭＡＰ）をつくって、維持する。
世界的なＭＡＰにおいて、議論のない伝達機会（ＣＦＴＸＯＰｓ）は、すべてのＲＥＰｓとすべてのＥＰに割り当てられる。
すべての譲渡（すなわちデータ、管理と制御メッセージ）は、それらの指定された資源だけで起こる。
【０１１０】
２．４．ａ）  連結性マトリックス
【０１１１】
モバイル・スケジューリング・アルゴリズムの狙いは、スペースを再利用して、−中チャンネル−干渉（ＩＣＩ）を最小にして、干渉に信号と雑音比率（ＳＩＮＲ）を最大にすることである。
スケジューリング決定を果たすために、ＤＭはすべてのノードの既存の連結に気づいていなければならない。
【０１１２】
関連品質は、連結性マトリックス（ＣＭ）にまとめられることができる。
例を減らしたＣＭは、図２．２（ダウンリンク（左）と２２２のアップリンク（右）方向で減少した連結性マトリックス２２１（ＣＭ）の例を示すこと）で表される。
それはバイナリの価格Ｘだけまたは０だけを含む。そして、潜在的身体的な接続（すなわちチャンネル）の有無を示する。
【０１１３】
より先進のスケジューリング決定、最大のパフォーマンスの照準、マトリックスが量的チャンネル品質情報（ＣＱＩ）によってされることができる連結性、例えば達成できる率でマトリックスを与えることまたは原則として、周波数領域で複雑なチャンネル振幅を計っている複素数であるさらに詳細なチャンネル州情報（ＣＳＩ）については、共同の身体検査に役立つことは、複数のＲＥＰｓによって送信または受信される信号の処理を階層化する。
【０１１４】
２つのノードのすべての一組が潜在的関連があるために考慮されるというわけではないとき、ＣＭは減らされることができる。
ｕｐ−とダウンリンクが直交して多重送信されるとき、これは本当かもしれない、すなわち、ＥＰでの放送は逆もまた同じ他のＲＥＰｓによってＲＥＰｓによって他のＥＰと放送によってでなく受け取られることができない。
例えば、これは、ｕｐ−とダウンリンクのために波長−分割多重化（ＷＤＭ）を適用することによって達成される。
それから、減少したＣＭは、各々上に向かうもののための２つの単純なマトリックスとダウンリンクに分けられることができる。
減少したＣＭのための例は、図２．２で表される。
【０１１５】
ｕｐ−とダウンリンクの間の直角のないネットワークでは、理論的には、すべての可能性がある関連は、スケジューリングのために考慮されなければならない。
これはＲＥＰｓによって加えて放送を含む。そして、ＥＰで他のＲＥＰｓならびに放送によって受け取られる。そして、他のＥＰで受け取られる。
たとえば図２．３で表される完全なＣＭ  ２３０は、関連がずっと多くこのシナリオの中にあると述べる。
ｕｐ−とダウンリンクの間の開きがセルの間で完全に柔軟であるならば、これらの状況の下の放送の直角で干渉のないスケジューリングは、特に、時分割デュプレックス（ＴＤＤ）モードで作動しているセルネットワークに複雑さの巨大な増加を持ち出すことが周知である。
一般であるが、最適状態に及ばない実行は、きつくすべてのネットワーク・ノードを同期させて、ネットワークに広がる原則で割られる柔軟なアップリンク／ダウンリンクを持ち出すことである。
【０１１６】
例に、ＤＭにはＣＭについての瞬間的な知識があるかもしれない。
したがって、認められたＥＰは、定期的にＣＭの彼らのエントリを更新しなければならない。
ネットワークに加わっているＥＰは、彼らの最も見えるＲＥＰｓを測らなければならなくて、更新されたＣＭに含まれるために、ＤＭに彼らを知らせなければならない。
これらのレポートの終止符は、機動性と個々のＥＰの交通需要に従い異なるかもしれない。
【０１１７】
２．４．ｂ）  接触しているネットワーク
【０１１８】
ＤＭは、調整されたＶＬＣネットワーク（例えば、２１０）のすべてのＲＥＰｓがビーコン・フレームを放送したことを確実とするかもしれない。
ビーコン・フレームの目的は、ネットワークの広告とＥＰの定期的な同期にネットワークを提供することになっている。
さらに、ビーコン・フレームは、他の情報の間に、手順に加わっているネットワークに指定されるＭＡＣサイクルに、一つであるか複数のＣＢＴＸＯＰｓのために、資源仕様（例えば時間枠）を含む。
ネットワークに加わるためのＣＢＴＸＯＰは、全世界で、全ネットワークで、すなわち同じ資源を使用する。
このように、干渉が厳しいＱｏＳ条件があるデータ伝送のためにないように、決定論的な伝達はネットワークでいかなる点でも可能である。
その後、新しいＥＰは、ネットワークにアクセスするために、指定されたＣＴＸＯＰを使うことができる。
ビーコンと、マルチセルチャンネルを推定した後に、それへの反応が衝突回避（ＣＳＭＡ／ＣＡ）で有名なキャリヤー−センス複数のアクセス・スキームを用いてフィードバック・パケットを送るので、送ることができる／はっきりした短絡の事前の交換で後を追わせる（ＲＴＳ／ＣＴＳ）箱。
新しく到着しているＥＰは、指定されたＣＢＴＸＯＰを含むビーコンを受けているｉ）と彼らの連結性についてフィードバックを提供している複数の周囲のＲＥＰｓとｉｉｉ）へのマルチセルチャンネル情報を集めているｉｉ）の後箱を送るかもしれない。
【０１１９】
２．４．ｃ）  マクロ多様性
【０１２０】
ＲＥＰとＥＰの間の照準線（ＬＯＳ）が突然壊れているならば、個々のＶＬＣリンクは連結性を速く悪化させることから、例えば損なわれるかもしれない。
しかし、同じＥＰには、同時に複数の隣接したＲＥＰｓへの自由なＬＯＳリンクがあることができる。
マクロ多様性は、それぞれ、この機会（すなわち１つのＲＰに、または、１枚のＥＰから共同で同じ信号を送信または受信する使用隣接したＲＥＰｓ）を利用している単純な計画である。
【０１２１】
ダウンリンクにおいて特定のＥＰに指定されるすべての箱は、ＥＰが通常つながられるＲＥＰｓの一群を通して、共同で送られる（例えば上記のマクロ多様性計画を用いて）。
アップリンク方向で、たとえ複数のコピーが複数のＲＥＰｓによって集団へ迎え入れられて、ＤＭに転送されるとしても、特定のＥＰからの容認されている箱はＤＭに送り届けられる。
ＤＭで、そのような冗長な情報が、共同の発見のために使われることができる。
（インフラ・ネットワークで、箱の効果的な配布に異なる方向で達することができる（例えば各々のＲＥＰまたはＥＰがつながれることができるＲＥＰｓの一群にもう一つのＶＬＡＮに識別子を割り当てることによって）こと。それから、ダウンリンク情報はＤＭからＥＰが対応するダウンリンクＶＬＡＮアドレスを用いてつながれるすべてのＲＥＰｓまで放送パケットの通りにされる。そのアップリンク伝達のために、ＥＰがただその箱を、それ自身のＭＡＣアドレスと共に、ＤＭのＭＡＣアドレスに送ることができること。ＤＭは結局組み合わさることを実行する。そして、一般のＭＡＣアドレスに基づく。）
確実な根拠のあるパリティ・チェックによる１つのコピーは選ばれる、または、ワイヤレス変速装置の信頼性が改善されるように、すべてのコピーは結合される。
【０１２２】
群れをなした各々のＲＥＰのＭＡＣ層で、同じデータは送られなければならない。
これは、ＤＭで使われて、通常の絶対の時間への言及をして、中央で同期するデータ伝送（それに例えば、タイムスタンプを各々の箱に埋めることによって同期のイーサネット（ＳｙｎｃｈＥ）と精度回のプロトコル（ＰＴＰ）とｉｉ）を用いて身体的で中程度のアクセス層を同期させているｉ）によって達することができる）を必要とする。
【０１２３】
２．４  一般的なフレーム
【０１２４】
あらゆるフレーム２４０は、図２．４の中で表されるように、２つのセクションに再分割されるかもしれない。
物理層一部２４１は、同期を得て、レシーバーに向かって情報を向けるために許すかもしれない。
さらに、それは基本の支配情報をデータリンク層（例えばデータ伝送のために使われる割り当てられた資源ならびに変調とコーディング計画）に提供する。
第２の部分２４２は、ペイロードである。
【０１２５】
ＶＬＣネットワークの中の放送は、ＲＥＰｓが共同でどれくらいを送るかによって分類されることができる：
ａ）   世界的な放送２５１
世界的なフレームはＶＬＣ領域にすべてのＲＥＰｓによって同期の方法で送られて、おそらく少しも答えられる。そして、ＥＰはネットワークでサーブした。
ｂ）   地域の放送２５２
地域のフレームは個々のＲＥＰｓによって同時に送られる、または、部屋の異なる部分のＲＥＰｓの一群は干渉が取るに足りないと定めました。
世界的なフレームのように類似的で、地域のフレームは、集団の中にすべてのＲＥＰｓによって同期の方法で送られる。
隣接した集団が共通部分を持っているならば、地域のフレームが異なる時間枠に送られることはあり得もする。
放送がそうである地方向けは、集団によって取り扱われるどんなＥＰででも答えました。
ｃ）   ローカルな放送２５３
ローカルなフレームは、干渉限られた方法で個々のＲＥＰｓまたはＥＰで送られる。
ＯＦＤＭの場合には、放送を空間と時間で直角にする他に、ＲＥＰまたはＥＰがもう一つの副搬送波くし（くしがそうであることがありえる頻度再利用要因Ｆ．が遠いＲＥＰまたはＥＰで再利用したよりくし間隔は等しいかより大きい）とこのように伝達を割り当てられることが干渉特急であるように、これは実行されることができる。
ローカルなフレームの全ての部分は、同じ副搬送波くし、すなわち前文、チャンネル評価、ヘッダと結局ローカルなデータを用いても送られる。
【０１２６】
したがって、フレームはグローバルに、地域的に、そして、地元に送られる。
例は、図２．５に示される。
【０１２７】
短く後者の面をまとめて、ＶＬＣネットワークや領域マスターは、ダウンリンク（ＶＬＣネットワークのすべてのＲＥＰｓによって同期の方法で送られているそのタイプでフレームで一人以上の最初の人から成っているタイプ）において送られる異なる種類のフレームを見分けるように構成されるかもしれない。
部屋（個々に１つのＲＥＰによって送られているそのタイプでフレームをもつ一人以上の第３の人）のような予め定められた地域の中に一つ以上のＲＥＰｓによって送られているそのタイプでフレームをもつ一人以上の第２の人。
ここにどこかほかで記述されるすべての詳細がそうするかもしれないほど遠く中で、または、ほんとに言及されてハイライトされたものと結合される。
【０１２８】
一般的なビーコン・フレームは最初のタイプでフレームのための例で、ＶＬＣネットワークにすべてのＲＥＰｓによって同時に送られる世界的なフレームから成る。
それは、ＶＬＣ領域にすべてのＥＰのために関連した情報とともに、同期シーケンス、チャンネル評価シーケンスとヘッダを含む。
特に、一般のヘッダはユーザー定義のドメイン名、ＤＭのＭＡＣアドレス、フィードバック・モード・フィールド、少なくとも、一つ以上のＭＡＣが循環することを示す全体的な中程度のアクセス案（ＭＡＰ）を含む、そこで、ＣＢＴＸＯＰｓは予定されている。
上で説明されるように、ＥＰはＲＴＳ／ＣＴＳでＣＳＭＡ／ＣＡを用いてネットワークにアクセスするためにこれらのＣＢＴＸＯＰｓの１つを使うことができる。        つまり、最初のタイプでフレームは、たとえば、少なくとも、一つ以上のＭＡＣが循環することを示す全体的な中程度のアクセス案（ＭＡＰ）を示すかもしれない。
【０１２９】
一般的なマルチセルチャンネル評価フレームは、第３のタイプと、このように、ローカルなフレームでフレームのための例である。
それは、ＥＰがダウンリンク方向で最も近いＲＥＰｓにチャンネルを推定するのを可能にするＲＥＰに特有のトレーニング信号を含む。
隣接したＲＥＰｓによって送られるシーケンスは、直角である。
より遠いＲＥＰｓによって送られるシーケンスは、カバーエリアで再利用されるかもしれない。
シーケンスがＶＬＣ領域の再利用されたＫ時代と利用できるシーケンスの総数であるかどうかはＬである、シーケンス・インデックスｌ＝１…Ｌと再利用インデックスｋ＝１…ＫはＶＬＣ領域でコンクリートのＲＥＰを確認するのに用いられることができる。
したがって、ネットワーク・トレーニング・フレームの表題は再利用インデックスｋ＝１…Ｋを含まなければならない、そして、それは潜在的な情報でもありえたシーケンス・インデックスｌ＝１…Ｌを含むかもしれない。
つまり、第３のタイプでフレームは、たとえば、ＥＰがダウンリンク方向でＲＥＰにチャンネルを推定するのを可能にするＲＥＰに特有のトレーニング信号を含むかもしれない。
短く後者の面をまとめて、断続的に、パイロット・シーケンス（ネットワーク・トレーニング・フレームの表題はパイロット・シーケンスの再利用のインデックスを示している再利用インデックスを含む）の形で各々ＲＥＰに特有のトレーニング信号を運んでいるネットワーク・トレーニング・フレームを送るように、ＶＬＣネットワークのＲＥＰは、構成されるかもしれない。
ＥＰは、それに基づくコンクリートのＲＥＰがネットワーク・トレーニング・フレームを送って、すなわち再利用インデックスとパイロット・シーケンスに基づいたことを確認するように構成されるかもしれない。
パイロット・シーケンスは、ヘッダにも任意に含まれるかもしれないシーケンス・インデックスによって特徴づけられるかもしれない。
中でこれまで、ここにどこかほかで記述されるすべての詳細はそうするかもしれない、または、ほんとに言及されてハイライトされたものと結合されるｎｂはそうしないかもしれない。
【０１３０】
一般的なフィードバック・フレームは全世界でありえるか、地域でありえて、このように、１または２番目のタイプでフレームのための例であるかもしれない。
世界的なフレームとして、それは、ネットワークに加わるために一般的に用いられる。
したがって、それは対応するＥＰのために連結性情報を含まなければならない。
ＲＥＰはいくつかのＥＰのための同じことである、または、選ばれた集団のＲＥＰｓのサブセットは同じことである、起こることができる。
それから、ＤＭは、ＲＥＰｓのどんなセットとどんなスケジューリングが所定のＥＰのために使われるかについて決める。
そのような複雑な決定は、より詳細なフィードバック情報を必要とするかもしれない。
（共同の伝達がＰＨＹ層（多数のＥＰが領域に入るのを許可されるならばそれは予想される）で支持されるならば、ダウンリンク、ＲＥＰｓに重なることでＥＰからのＣＱＩフィードバックを要請するＤＭ意志必要またはＲＥＰｓ．のクラスタでは、ＣＳＩフィードバックが必要である。）
したがって、フィードバック・モード（ＣＭ、ＣＱＩ、ＣＳＩ）は、制御フレームの表題で、ＤＭによって合図される。
同じフィードバック・モードがグローバルに使われるならば、この情報はビーコン信号に含まれる。
この世界的な任務は、地域の制御フレームを送ることによって上書きされることができる。
このように、ＤＭは、ＶＬＣ領域全体で、または、群れをなした１つのＲＥＰまたは複数の隣接したＲＥＰｓのために適用される多少先進の伝達計画の間で変わることができる。
通常、フィードバックは、オーバーヘッドを保存するために、圧縮した方法で提供される。
それは、ＲＥＰにつきおよび／またはチャンネル情報のあらかじめ定義された平均平方エラー（ＭＳＥ）に達するのに十分なタップにつきネットワーク定義の入り口より上の信号、マルチパス普及チャンネルの場合には最も関連したタップと限られた数の量子化ビットがある最も関連したＲＥＰｓだけを含むかもしれない。
一般的なフィードバック・フレームは、ＶＬＣ領域でＥＰを認証するために、さらなる情報も含むかもしれない。
短く後者の面をまとめて、ＶＬＣネットワークや領域マスターは、ＶＬＣネットワークの異なる部分で異なるチャンネル・フィードバック・モードを起動させるように構成されるかもしれない。
デフォルト・フィードバック・モードは、グローバルにセットされるかもしれない。
２または１番目のタイプでフレームのような下の範囲でフレームは、もう一つのフィードバック・モードを指定するように、デフォルト・モードからの逸脱を合図するかもしれない。
ＶＬＣネットワークのＥＰは、ＶＬＣネットワークのそばに送られる下の範囲でフレームに従ってそのチャンネル・フィードバック・モードを変えるように構成されるかもしれない。
【０１３１】
選ばれるチャンネル・フィードバック・モードに従い、異なるチャンネル情報は、ＥＰでＶＬＣネットワークにフィードバックされる。
パイロット・シーケンスは、下で説明されるように、櫛状パイロット取り決めであるかもしれない。
中でこれまで、ここにどこかほかで記述されるすべての詳細はそうするかもしれない、または、ほんとに言及されてハイライトされたものと結合されるｎｂはそうしないかもしれない。
【０１３２】
一般的な中程度のアクセス・フレームは、第２のタイプ・フレームのための例であるかもしれなくて、どんな放送が中継された中程度のアクセス計画（ＲＭＡＰ）を送ることによって予定されているかについて、ＥＰに知らせる。
通常、中程度のアクセス・フレームは地域で、１つのＲＥＰまたは隣接したＲＥＰｓの一群によって共同で送られる。
空間再利用が両方とも、データとＲＭＡＰ情報のために典型的であることに注意すべきである。
ＥＰが互いから遠く離れているならば、ＲＥＰｓの間の干渉または複数のＲＥＰｓの一群は取るに足りない。
そして、ＥＰごとに、ＤＭは共通の要素をもたないＲＥＰｓを選ぶか、ＲＥＰｓの一群の関節を外する。
【０１３３】
２．５  詳細なＭＡＣ手順の例
【０１３４】
２．５．ａ）  ビーコン伝達
【０１３５】
接触しているネットワークのためのＣＢＴＸＯＰの配分を含むＶＬＣネットワークへのＥＰの同期は、ビーコン・フレームを用いて成し遂げられる。
ビーコンは、ＶＬＣネットワークにすべてのＲＥＰｓによって共同で送られる世界的なフレームである。
【０１３６】
ＣＢＴＸＯＰ配分（ビーコン・フレームに含まれる）は、世界的なＭＡＰの一部として指定されて、すべてのＲＥＰｓのために抽出されなければならない。
その結果、世界的なＭＡＰに含まれる情報は、無線ホップに関して２つの信号に分けられる：
ビーコン・フレームとＲＭＡＰ（セクション２．５ｂが参照される））。
【０１３７】
世界的なビーコン・フレーム伝達（共同で、すべてのＲＥＰｓによって）の一つの例は図２．６に示される。
【０１３８】
２．５．ｂ）          マルチセルチャンネル評価
【０１３９】
マルチセルチャンネル評価は専用の時間枠に実行されるかもしれない。そして、ＤＭによって割り当てられる。
ＣＭを最新にしておくために、すべての参加しているＲＥＰｓとＥＰの間のチャンネルは、定期的に評価されなければならない。
したがって、あらゆるＲＥＰからあらゆる潜在的ＥＰへの少なくとも１つの直角測定は、実行されなければならなくて、あらゆるＥＰからあらゆる潜在的ＲＥＰへの１でなければならない。
【０１４０】
ＯＦＤＭを用いて、たとえば、これは、ＭＩＭＯ−ＯＦＤＭ通信システムで有名である櫛状パイロット取り決めを用いて、省資源方法において成し遂げられることができる。
各々の送信機は、等しくの間隔をあけた副搬送波のグリッドの上にだけ、パイロット信号を送る。
この全部のくしは、もう一つのＲＥＰを使うとき、副搬送波の整数数によって移される。
このように、隣接したＲＥＰｓのパイロットは、周波数領域で直角になることができる。
同様に、遠いＲＥＰｓは、同じくしを再利用する。
レシーバーで、試験番組はすべての副搬送波で同時に届きく。
くし間隔とＲＥＰに特有の交替制を知っていることによって、レシーバーは対応するパイロットを引き抜くことができて、利用できるパイロット（例えば［１］）の間で、チャンネルを差し込むことができる。
【０１４１】
多重化試験番組は、ダウンリンクにおいて静的にされることができる。
例えば彼らのＲＥＰ識別子（ＩＤ）、彼らのＭＡＣアドレスと他のローカルな情報を伝えるために、個々のＲＥＰｓのローカルなデータ伝送の同じ計画を使うことも、できる。
しかし、アップリンク方向で、ＥＰの機動性は、静的パイロット割り当てを禁じる。
アップリンク・チャンネル評価のために、パイロットはダイナミックに割り当てられなければならない。
【０１４２】
図２．７は、ＯＦＤＭベースのマルチセルチャンネル評価のために使われるパイロットくしの例を表する
【０１４３】
２．５．ｃ）          フィードバック送出
【０１４４】
移動式の間、ＶＬＣネットワークへのＥＰの連結性は時間とともに変化することができる。
【０１４５】
ダウンリンク連結性が変わったならば、これは規則的なものは導くｉ）を観察することによってＥＰで簡単に見つけられるフレーム、そして、ｉｉ）、マルチセルは評価フレームを向ける。
アイドルのモードでは、ＥＰは次の利用できるＣＢＴＸＯＰの間、アップデートされた世界的なフィードバック・フレームを送るかもしれない。
【０１４６】
ＥＰが使用されていないままの限り、変更されたアップリンク連結性はこのように見つけられないかもしれない。
それゆえに、ＥＰがどんなアップリンク伝達でも始めることができる前に、たとえダウンリンク連結性が不変だったとしても、それはアップデートされたフィードバック・フレームを送らなければならない。
アップリンク・チャンネルがＥＰからのＲＥＰまでフィードバック送出またはＲＥＰｓの一群のために送られる同じフレームの一部として評価されるかもしれないことに注意すべきである。
短く後者の面をまとめて、ＶＬＣネットワークのＥＰは、アイドルのモードから、ＶＬＣネットワークにチャンネル・フィードバック信号から成っているフレームを送ることによって実行中のモードに入るように構成されるかもしれない。そして、フレームがアップリンク・チャンネル評価を可能にするためにパイロット信号からも成る。
中でこれまで、ここにどこかほかで記述されるすべての詳細はそうするかもしれない、または、ほんとに言及されてハイライトされたものと結合されるｎｂはそうしないかもしれないか。
【０１４７】
フィードバック送出は、両方とも、ビーコンとマルチセルチャンネル評価フレームを受けた後に、指定された時間枠に起こる。
ＤＭにとって、フィードバック・パケットは、受け入れＲＥＰまたは集団によってＲＥＰｓの前方へ供給される。
【０１４８】
図２．８は、マルチセルチャンネル評価とフィードバック送出を表する。
【０１４９】
２．５．ｄ）  平行した集団のＭＡＰ配布
【０１５０】
ＤＭは世界的なＭＡＰを維持する。そして、それはすべてのＲＥＰｓに定期的に広められなければならない。
しかし、全部のＭＡＰを送るオーバーヘッドは高い、そして、すべての情報がすべてのＥＰで必要とされるというわけではない。
オーバーヘッドを保存するために、ＭＡＰの特定の一部だけは、それ自身のデータの復調のために必要とされるＥＰに送られる。
地図のこの断片がＲＥＰまたは隣接したＲＥＰｓの一群によって送られて、それは中継されたＭＡＰ（ＲＭＡＰ）として意味される。
データに関しては同じで、干渉が制限されるように、ＤＭが時空間資源を割り当てると暗黙のうちに仮定される。
さらに、発見が常に可能であるように、データは常に地味な、干渉認識のある方法で調整される。
同じことは、ＲＭＡＰ伝達のような対照交通のために仮定されることができる。
それゆえに、ＲＭＡＰは、図２．９（ＲＥＰｓの異なる一群でＭＡＰ配布を示す）に図示されるように、ＲＥＰｓの異なる一群で平行に送られることができる。
【０１５１】
２．６  Ｇ．ｈｎメカニズムの適用性
【０１５２】
２．６．ａ）  集中化したスケジューリング
【０１５３】
Ｇ．ｈｎ  ＭＡＣは、すでに中央で調整される。
ＤＭはＭＡＣサイクルごとにＭＡＰを生み出して、その領域のすべてのノードに、それを放送する。
フレームが含むＭＡＰは、ＴＸＯＰｓと伝達（Ｇ．９９６０、８．２．１、８．３．１）のためにＴＸＯＰを使うかもしれないノードの開始時間と長さを定める。
ＭＡＰ伝達のために使われるフレーム仕様が、Ｇ．ｖｌｃ（Ｇ．９９６１、８．８）のためにも使われるかもしれない。
【０１５４】
ＤＭ機能が中心単位の上にあると思われて、ＭＡＰｓはインフラ・ネットワークについて送られなければならない。
ＲＥＰｓは、イーサネット・インターフェースについて受け取られるＭＡＰｓを適用しなければならない。
ＭＡＰｓを中継することは、すでにＧ．ｈｎ仕様（Ｇ．９９６１、８．８．１、８．５．６）の一部である。
しかし、ワイヤレス媒体ですべてのノードが互いに接続しているというわけではないので、全部のＭＡＰでなくＭＡＰの地域の断片だけはＶＬＣチャンネルの上にＲＥＰｓの一群によって放送されなければならない。
【０１５５】
Ｇ．ｈｎに、ノードの同期は、ＭＡＰフレーム伝達に基づいて成し遂げられる。
ノード、ＭＡＰフレームを解読することは、ＤＭのタイムスタンプを含んで、ＮＴＲフィールドを読んで、それに応じてその時計の時間を合わせる。
（Ｇ．９９６０、７．１．６．２）。
インフラ・ネットワークでは、時間のこの同期は、ＰＴＰプロトコルで支えられなければならない。
さらに、すべてのＲＥＰｓの間の頻度は、インフラ・ネットワークによって同期しなければならない（例えばＳｙｎｃＥを用いて）。
【０１５６】
Ｇ．ｈｎは、５ｍｓ（Ｇ．９９６１、表８−１４）の最小限のＭＡＣサイクル期間を指定する。
しかし、ＶＬＣの急速に変わっているチャンネル病状により、より速く、関連を減らすことに反作用することが必要かもしれない。
より短いＭＡＣサイクルは、ＶＬＣネットワークでより高い機動性のために有益かもしれない。
それに応じて、これは増加した副搬送波間隔と減少したシンボル期間とともに導入されることができた。
【０１５７】
２．６．ｂ）  ＣＢＴＸＯＰｓ
【０１５８】
Ｇ．ｈｎは、ＣＳＭＡベースの複数のアクセスのために共有ＴＸＯＰｓを定める。
提案されたＶＬＣシステムで領域に加わるために使われる時間枠は、ＭＡＰでＣＢＴＸＯＰを予定することによって理解されることができた。
ネットワーク入場プロトコル（Ｇ．９９６１、８．６．１．１）は再利用されることができる、結局、伝達されたネットワーク加入手続きがＲＥＰ（Ｇ．９９６１、８．６．１．２）の上に使われるかもしれない。
【０１５９】
中で（Ｇ．９９６１、８．３．３．２）、それらの２つのノードが互いから隠されるとき、ＣＢＴＸＯＰへの２つのノードの割り当ては禁じられている。
ＤＭが世界的な可視性知識があると思われて、ＣＳＭＡベースの資源は標準が記述する方向で予定されているかもしれない。
しかし、ＱｏＳ−交通は、常にＣＦＴＸＯＰｓを使わなければならない。
【０１６０】
２．６．ｃ）  ＱｏＳと交通フロー
【０１６１】
保証された帯域幅（Ｇ．９９６１、８．６．２）で、Ｇ．ｈｎは交通フローの設立を指定する。
しかし、ダイナミックなトポロジーにおいて、関連有効性とその能力がＥＰの機動性のために変化するかもしれないので、長い間予想できる帯域幅、潜在性またはジターを保証することが、できないかもしれない。
したがって、流れを確保することは適用できない、または、期間は期待される有効性によって制限されなければならない。
【０１６２】
２．６．ｄ）  ルーティングとトポロジー管理
【０１６３】
集中化したルーティングとトポロジー管理（ＣＲＴＭ）モード（Ｇ．９９６１、８．６．４）が生じた場合、Ｇ．ｈｎはＤＭでトポロジー情報のコレクションを指定する。
したがって、ＤＭは、データ伝送のために使われるリンクを制御するという可能性がある。
【０１６４】
２．６．ｅ）  ＤＭ管理能力
【０１６５】
ＤＭは、一連の管理フレームを送信および受信することができなければならない。
現在のＧ．ｈｎ標準の大部分の機能がＥＰによってリレーについて成し遂げられることもできて、インフラ・ネットワークについて中継によって同じ機能を成し遂げることができなければならない。
特にこれは、以下の機能（Ｇ．９９６１、８．６）を含む：
領域マスター選択：
ＤＭ役割は、静的に割り当てられる
ネットワーク入場（８．６．１）：
受信および送信非タイム・クリティカルな管理フレーム。
帯域幅管理（８．６．２）：
世代とＭＡＰの配布に翻訳する。
ルーティングとトポロジー管理（８．６．４）：
受信および送信管理フレーム。
ノードにつき力の分光濃度は、以下を形づくる：
これは干渉避けることにとって興味があるかもしれなくて、スケジューリングのためにさらなる自由度を構成することができた
【０１６６】
２．７．  Ｇ．ｈｎを用いて必須のフレームを構築する方法
【０１６７】
２．７．ａ）  ビーコン・フレーム
【０１６８】
ビーコン・フレーム伝達は、世界的な伝達を意図する。
それは、ネットワーク付きのすべてのＥＰの同期、ネットワーク存在の広告とネットワーク入場のためのＣＢＴＸＯＰｓの割り当ての目的にかないる。
【０１６９】
ビーコン・フレームは、Ｇ．ｈｎで定められるＭＡＰフレームに、密接に関連がある。
ビーコンは、Ｇ．ｈｎ（Ｇ．９９６０、７．１．２．３．２．１．１０）で１  （Ｒ）ＭＡＰ−Ｄを送ることに類似した非常に強い変調とコーディング・スキームを用いて送られるかもしれない。
しかし、ビーコン・フレームは、少しの完全なＭＡＰでもなく、しかし、単にネットワーク入場のためのＣＢＴＸＯＰｓの仕様だけを含む。
残りのＭＡＰ情報のコミュニケーションは、中間の−アクセス−フレーム（ＲＭＡＰ）の一部で、地域的に伝えました。
【０１７０】
ビーコン・ヘッダは、ネットワークのどんなＲＥＰによる送られたビットごとの同等でもなければならない。
さらなる情報（全部のネットワークを予定されている）は、世界的なＭＡＰから得られるかもしれなくて、ペイロード地域にビーコン・フレームによって送られるかもしれない。
【０１７１】
２．７．ｂ）    マルチセルチャンネル評価フレーム
【０１７２】
マルチセルチャンネル評価フレームは地元に送られる、そして、それはダウンリンク・チャンネル評価を可能にする。
ローカルな放送は、隣接したＲＥＰｓから放送の直角多重化を使いる。
【０１７３】
Ｇ．ｈｎに、専用の調査フレームが、チャンネル評価の目的である。
上述のくしアプローチは、全部の調査フレームの期間の間特定のＲＥＰｓのためにＧ．ｈｎで特定の副搬送波を覆い隠すことによって認識されることができる。
その結果、複数のＲＥＰｓは調査フレームを共同で送ることができた、誰のペイロード（すなわち調査シンボル、通称パイロット・シンボル）が頻度で直角である。
レシーバーで、容認されているパイロットがＰＨＹ層によって近づきやすくなるならば、なくなったチャンネル情報はソフトウェアに勝手に入れられることができる。
【０１７４】
さらに、各々のＲＥＰの情報がそうであるかもしれない場所は、それらのローカルな調査フレームによるメタ−情報として伝えました、ＥＰが正確にどれを計算することができたかについて基づきく三辺測量術を用いてその位置。
専用のプロトコルについてＥＰから情報を集めることによってＤＭで場所を計算するより、これは単純である。
【０１７５】
２．７．ｃ）  フィードバック・フレーム
【０１７６】
フィードバック・フレームは、アップリンク方向にＥＰで送られる。
これは将軍を使用して理解されることができる、管理メッセージ（ＬＣＤＵ、他のチャンネル評価メッセージと同様の）を含んで、データフレームを決意してください。
新しい管理フレームは、チャンネル評価プロトコルによって必要とされるすべてのさらなる情報を取り入れることもできた。
フィードバックのためのｕｎｃｏｎｔｅｎｄｅｄされたＣＢＴＸＯＰ時間枠を使用して、あらゆるＥＰでの伝達は、推薦される。
【０１７７】
アップリンク・チャンネル評価がダウンリンク・チャンネル評価に類似した調査フレームを用いて別に成し遂げられることができたが、フィードバック伝達フレームの中で同時にアップリンク・チャンネル評価手順を実行することは効率的でしょう。
【０１７８】
２．７．ｄ）  中程度のアクセス・フレーム（ＲＭＡＰ）伝達
【０１７９】
ＴＸＯＰｓの配分は、世界的なネットワーク入場ＣＢＴＸＯＰのあること以外は、ＲＭＡＰｓを通して送られる。
彼らは、ＲＥＰｓによって中継される観点から、Ｇ．ｈｎからＲＭＡＰｓに関連がある。
しかし、ＶＬＣのために、ＲＥＰｓによって送られるＲＭＡＰｓは、完全なネットワークＭＡＰを含まないかもしれない。
むしろ、彼らは、ＲＭＡＰを身体的に受けるＥＰに関して、配分だけを含む。
したがって、ＲＭＡＰｓは地域的に送られる。
【０１８０】
フレームフォーマットは、Ｇ．ｈｎのＲＭＡＰフレームから採用されることができる。
それでも、ＲＭＡＰｓの伝達が、すべての集団のために同じ時間枠に必ずしも起こるというわけではないかもしれない。
重なり合う集団の間で、干渉が避けられるように、それは異なる時間枠を用いて直角になるかもしれない。
【０１８１】
２．７．ｅ）  マクロ多様性
【０１８２】
データの共同の伝送のために、ＭＡＣ層には集団のすべてのＲＥＰｓの上に利用できる同じデータがあることが必要である。
同じデータは、インフラ・ネットワークの集団のすべてのＲＥＰｓへのＤＭによるマルチキャストである。
したがって、集団は動かないか、例えば少なくとも各々の集団のために専用のＶＬＡＮ  ＩＤを使って、適切な支配メッセージ・プロトコルでダイナミックにそれを選ぶことによって予め設定される。
【０１８３】
送られた信号はビットごとに等しくなければならなくて、たとえば、ＰＨＹ−フレームの中のソースＤＩＤは同じことでなければならない。
集団に演説するために、仮想で一時的なＤＩＤは、集団に割り当てられることができた。
集団の設立は、データ・パスから切り離されることができて、切り離された管理プロセスを構成することができた。
ｓｏｆｔＭＡＣを用いて、任意のフィールドを送られたフレームでセットすることが、できなければならない。
【０１８４】
ＨＡＲＱと承認メカニズム（Ｇ．ｈｎで指定されている）は、マクロ多様性アプローチのじゃまをする。
現在では、あらゆる送られたフレームで即時のＡＣＫ、遅れたＡＣＫまたはＡＣＫでないことの復活を要請するという可能性が、ある。
マクロ多様性を働かせるとき、どちらのＡＣＫなしでも要請されなければならないことが、または、ＲＥＰのＡＣＫの非受領が転送を誘発するべきでないことが直観的である。
むしろ、ＡＣＫの非受領はＤＭにさらに合図されなければならない。そして、それは転送の責任を集中化したバッファから肩代わりする。
【０１８５】
たとえば、上記の例、メモと説明の全てが、ＶＬＣに関係があって、それを使用して例証されるが、ラジオまたは音響の伝達のために使われることもできた。
【０１８６】
リファレンス
【０１８７】
Ｓ．  Ｓｃｈｉｆｆｅｒｍｕｌｌｅｒ  ａｎｄ  Ｖ．  Ｊｕｎｇｎｉｃｋｅｌ，  “ＳＰ
Ｃ０８−３：  Ｐｒａｃｔｉｃａｌ  Ｃｈａｎｎｅｌ  Ｉｎｔｅｒｐｏｌａｔｉｏｎ  ｆｏｒ  ＯＦＤＭＡ，“  ＩＥＥＥ  Ｇｌｏｂｅｃｏｍ  ２００６，  Ｓａｎ  Ｆｒａ
ｎｃｉｓｃｏ，  ＣＡ，  ２００６，  ｐｐ．  １−６．
ｄｏｉ：１０．１１０９／ＧＬＯＣＯＭ．２００６．５７６
ＵＲＬ：ｈｔｔｐ：／／ｉｅｅｅｘｐｌｏｒｅ．ｉｅｅｅ．ｏｒｇ／ｓｔａｍｐ／ｓｔａｍｐ．ｊｓｐ？ｔｐ＝＆ａｒｎｕｍｂｅｒ＝４１５１２０６＆ｉｓｎｕｍｂｅｒ＝４１５０６３０
【０１８８】
３．   Ｅｘａｍｐｌｅｓ  ｒｅｌａｔｉｎｇ，  ｉｎｔｅｒ  ａｌｉａ  ｐｕｌｓｅｄ  ｍｏｄｕｌａｔｉｏｎ  ＰＨＹ
Ｄｙ2Ｏ3Ｄｙ2Ｏ3
３．１ Ｐｕｌｓｅｄ  Ｍｏｄｕｌａｔｉｏｎ  ＰＨＹ
【０１８９】
脈うたれた変調（ＰＭ）ＰＨＹは、１Ｍｂｉｔ／ｓから約１００Ｍｂｉｔ／ｓまで適度なデータ信号速度を可能にする。
主要なアプローチは、幻のような効率を低くしておいている間、高い光学クロック・レート（ＯＣＲ）を用いて高いデータ信号速度を成し遂げることである。
このアプローチは、パワー効率が問題であるアプリケーションで、強化された範囲を提供する（例えばアップリンクとモノのインターネット（ＩｏＴ）のために）。
８Ｂ１０Ｂによる２−パルス振幅変調（ＰＡＭ）はコーディングに線をひく、そして、リード−ソロモン（ＲＳ）前の誤り訂正（ＦＥＣ）と共に、可変的な光学クロック・レートまたはアダマール・コード化変調（ＨＣＭ）によるＭ−ａｒｙ  ＰＡＭが使われる。
より高い層によってコントロールされて、ＰＭ  ＰＨＹは、関連のデータ信号速度と信頼性をＯＣＲを変えているｉ）による様々なチャンネル状況やＰＡＭと送信機の最適なセットを選んでいるＨＣＭやｉｉｉ）で使われるコードの数のために変調アルファベット・サイズＭを変えているｉｉ）に適応させる手段を含むかもしれない。
【０１９０】
ＰＭ  ＰＨＹの数霊術は表１で定められる、そこで、ケースｉ）だけは考慮される。
【０１９１】
2020532899.tif 000005
【０１９２】
表１のＯＣＲは、例えば１００ＭＨｚ／２ｎとして１００ＭＨｚの時計を分けることによって、低コストいつでもすぐ買える水晶の発振器から入手可能な１００ＭＨｚの一般の参照時計から得られるどこのｎ＝−１…４。
参照時計は、ＩＥＥＥ標準で定められる精度回のプロトコル（ＰＴＰ）を使用して、イーサネットによって得られることもできる。
１５８８ｖ２。
ジターは、ＰＴＰをＩＴＵ−Ｔ  ｒｅｃ．  Ｇ．８２６２で定められる同期のイーサネット（ＳｙｎｃｈＥ）と結合することによって改善されることができる。
【０１９３】
３．１．１
ＰＭ  ＰＨＹがそうするかもしれないＰＰＤＵフォーマットは、図３．１に示されるＰＰＤＵフォーマット３１０を使用する。
それは、同期ヘッダ（ＳＨＲ）３１１、物理層ヘッダ（ＰＨＲ）３１２とＰＨＹペイロード（ＰＳＤＵ）３１３から成るかもしれない。
【０１９４】
３．１．２  伝達
【０１９５】
３．１．２．１  同期ヘッダ（ＳＨＲ）
【０１９６】
３．１．２．１．１  前文
前文３１４は、適切なウィンドウ・サイズ［１−４］で、両方とも、ｃｒｏｓｓ−と自己相関をイネーブルするかもしれない。
【０１９７】
塩基配列ＡＮ、長さＮの特定の偽雑音シーケンスが、使われるかもしれなくて、アネックス１を見るかもしれない）。
同じ全長［４］の二重のシーケンスと比較して、ＡＮは、各々の塩基配列が自己相関の後より鋭いピークをつくることが知られている下記を与えられて陽であるか否定的な徴候で増やされるかもしれない６＊Ｎ．の総シーケンス長さを与えて、６回（または他の例の４より大きいもう一つの回数）、繰り返されるかもしれない。
全体の前文は、シーケンスの要素のために、そこでｘ＝１−ｘを読むかもしれない［ＡＮ  ＡＮ  ＡＮ  ＡＮ  ＡＮ］。
前文は、２−ＰＡＭモジュレータに、最後に通されるかもしれない。
【０１９８】
2020532899.tif 000006
【０１９９】
３．１．２．１．２  チャンネル評価
【０２００】
チャンネル評価（ＣＥ）３１５は、ヘッダ情報とデータの平等化と以降の探知を許すかもしれない。
時間領域で定められるが、ＣＥシーケンスは平等化を周波数領域に与えるかもしれなくて、それゆえに、塩基配列と周期的接頭辞（ＣＰ）から成るかもしれない。
時間単位で測られて、両方（塩基配列Ｔｓｅｑと周期的接頭辞ＴＣＰ）の時間期間は、ＯＣＲと無関係に、維持されるかもしれない。
ＯＣＲを増やすことによって、シーケンスのための、そして、ＣＰ（すなわちＮｓｅｑとＮＣＰ）のための数のクロックサイクルは、それぞれ、比例して増加すると、表１が参照される。
ＣＥシーケンス（付録１で与えられる特定の偽雑音シーケンスＡＮ）である）使われた持っている可変長のＮ＝２ｋ（ｋ＝５…１１）（そうＯＣＲに依存すること）が、そのＮ＝Ｎｓｅｑ（表１を参照）であるかもしれない。
ＣＥシーケンスは、２−ＰＡＭモジュレータに、最後に通されるかもしれない。
【０２０１】
３．１．２．２  物理層ヘッダ（ＰＨＲ）
【０２０２】
ｐ３．１．２．２．１  ＰＨＹヘッダ
【０２０３】
2020532899.tif 000007
【０２０４】
ＦＴは、フレーム・タイプを定める。
ＦＴ＝０
調査フレーム（ビーコンとして、そして、チャンネル評価のために使われる）
ＦＴ＝１
輸送フレーム（データ、支配と管理メッセージのために使われる）
【０２０５】
ＰＳＤＵ長は、ａＭａｘＰＨＹＦｒａｍｅＳｉｚｅするために、上へ０からはげ落ちる。
ＭＣＳは、使い古した変調とコーディング計画を定める。
ＭＣＳは、一つの流れ伝達のための数である。
流れの空間多重方式については、異なる装置に送ってください、さもなければ、並列に枝を受けさせている同じ装置にとって、ＭＣＳは各々の要素がＭＡＣによってコントロールされている流れにつきＭＣＳを含むベクトルである。
ＦＴ＝０ならば、一つの流れ伝達が常に使われる。
【０２０６】
2020532899.tif 000008
【０２０７】
適応可能な伝達は、ＰＭ  ＰＨＹがチャンネルによると適切なＭＣＳを選ぶことによって多様なチャンネル病状で操作されるのを許する。
チャンネル品質指標（ＣＱＩ）フィードバック（ＰＭ  ＰＨＹのために、ＣＱＩフィードバックがＣＱＩ＝ＳＩＮＲ＋１０  ｄＢ（すなわちＣＱＩ＝０）の価値を測っている６ビットの番号と定義されること：＜−１０ｄＢ  ＳＩＮＲ；  ＣＱＩ＝１：ＳＩＮＲ＝−９  ｄＢ…ＣＱＩ＝６３：ＦＥＣデコーダーの前のの後のＳＩＮＲ＝＋５３  ｄＢ。ＣＱＩフィードバックがレシーバーと見積もられて、送信機側への逆のリンクについて、制御メッセージでＭＡＣ層によって送られる）を提供するように、装置は構成されることができる。
【０２０８】
ＭＩＭＯを使用するとき、ＲＳ＿ｔｙｐｅはオプションのフィールドで時間または周波数領域基準信号（ＲＳ）の使用を定める。
ＮＲＳは、オプションのフィールドのＲＳの番号である。
使われる特定のＲＳのためのシーケンス・インデックスは、ＰＨＹ  ＳＡＰを通して各々の送信機に割り当てられる。
【０２０９】
2020532899.tif 000009
【０２１０】
中継モードは、作動（拡大して、そして、進めるために、ｄｅｃｏｄｅ−ａｎｄ前に）を中継する方法を指定する。
リレー・デュプレックス・モードは、中継（ｔｉｍｅ−または全二重）のために、二重モードを指定する。
【０２１１】
３．１．２．２．２  ＨＣＳ
【０２１２】
シーケンス（ＨＣＳ）がＨＣＳビットがそうであるかもしれないアネックスＣ．で定められてＣＲＣ−１６を使うかもしれないヘッダ・チェックは、送られた命令で処理される。
レジスターはそうであるかもしれない。そして、すべてのものに初期化されてください。
【０２１３】
３．１．２．２．３．  オプションのフィールド
【０２１４】
たとえば、オプションのフィールド３１８は、複数の入力複数の出力（ＭＩＭＯ）チャンネル評価のために、参照符号（例えば、１３１’、１３１’’）を含むかもしれない。
ＭＩＭＯ  ＲＳのために、繰り返し、ＦＥＣ、線コーディングとＨＣＳは、あてはまらない。
ＭＩＭＯ  ＲＳは、ｔｉｍｅ−と周波数領域で定められることができる。
時間または周波数領域ＲＳの使用は、ＭＡＣ  ＳＡＰを通して可変である。
下部のＯＣＲで、通常、時間−領域ＲＳは適切である。
より高いＯＣＲで、周波数領域ＲＳはあてはまる。
【０２１５】
３．１．２．２．３．１．  時間−領域ＲＳ
【０２１６】
時間−領域（ＴＤ）ＲＳｓは、時間領域で直角で、以下の通りに造られる。
【０２１７】
ｉ台目のデータストリーム／送信機のために、それぞれ、ＴＤ  ＲＳは、表１によってそこでＮｘＮアダマール・マトリックスＨK  Ｎ＝Ｎｓｅｑ＝２Ｋのｉ本目の列を使いる。
価値、私は特定の送信機を特定することに慣れていて、ＰＨＹ  ＳＡＰを通してＭＡＣによって定義される。
ＨKがｋ＝１…Ｋから増加しているｋによって反復して得られるマトリックス
【０２１８】
2020532899.tif 000010
【０２１９】
結果として生じるシーケンスは、塩基配列ＡＮが０．５の一定値をＡＮから引いた後にある論理的ＸＯＲ演算による酔ったシンボル−賢者である。
長さＮＣＰ＝Ｎｓｅｑ／３２で、周期的接頭辞は、最後に付け加えられる。
（ＨＫのすべてのシーケンスは相互に直角である。ＡＮによるＸＯＲ演算はシーケンスの直角を変えないで、マルチパス［５、６］の場合には有益である相互相関所有物を改善する。最初の流れのためのシーケンスまたは送信機がただＡＮを含むことに注意すべきである）。
【０２２０】
例に、コミュニケーションデバイスは以下の行為を行うことができる
−     特定の装置または特定のデータストリームまたは特定の送信機［例えば発光体］［インデックスがＰＨＹ  ＳＡＰでＭＡＣによって定義される］を特定しているインデックス（ｉ）に対する依存で、そして、選ばれた行か列［たとえば、光学時計参照によって条件づけられているインデックスや平行に送られるセットまたは流れにコミュニケーションデバイスを送ることの数］から特定のアナログ波形［「個々の基準信号」］を得るために、相互に直角シーケンス［例えばアダマール・マトリックスの行か列］の複数のセットから、シーケンスを選んでください
−     選ばれた行か列から装置に特有のアナログ波形を得るとき、選ばれた行か列［例えば０．５をすべての価格から引くことによって］で、ＤＣ構成要素を減らしてください。
−     シーケンスに周期的接頭辞を付け加えるように構成される選ばれた行か列から特定のアナログ波形を得るとき、選ばれた行か列を塩基配列［例えばＡＮ］と結合してください［例えばＸＯＲ−連合体］。
【０２２１】
３．１．２．２．３．２．  周波数領域ＲＳ
【０２２２】
次のプロセスは、信号発生器１４１または１４１ａ実行されるかもしれない。
【０２２３】
周波数領域（ＦＤ）ＲＳｓは、複数の送信機から複数のデータストリームまたは信号の直角探知を許して、周波数領域で直角である。
副搬送波の特定のくしは、特定の流れまたは送信機を特定する。
【０２２４】
ＦＤ  ＲＳの建設は、アネックス１で塩基配列ＡＬから始まる）Ｌ＝Ｎseq／表１とくし間隔Δによる（２＊Δ）２の累乗であるところ。
Δの価値は、基本的な関係Δ≦Ｎseq／（２＊ＮＣＰ）産してい考慮に入れているＰＨＹ  ＳＡＰを通して、ＭＡＣによって定義される。
Ｌの以下の値が、所定のＯＣＲのために使われる。
【０２２５】
2020532899.tif 000011
【０２２６】
１．一定の偏り０．５は、ＡL から引かれる。
２．ＡL は、要因Δによってアップサンプリングされている。
３．
Ｓサンプルによる循環シフトはシーケンスＺを与えているシーケンスＹに申し込みる。シーケンスＺはＳの価値が確認するＬｚ＝Ｌ＊Δの長さを持っている特定の流れまたは送信機、そして、ＰＨＹ  ＳＡＰを経たＭＡＣによって定める。
ＭＡＣ層は、レシーバーでシフトＳ＝Δ−１を雑音評価のために取っておくかもしれない。
Ｆ＝［０のＺ（１：ＬZ-1 ）０  Ｚ（ＬZ-1 ：−１：１）］に続くように、配列Ｆは形成される。
これは、次のステップにおいてＨｅｒｍｉｔｉａｎ左右対称を実行する。
シーケンスＺからの最初のＬZ-1 サンプルが二回使われて、オリジナルで最初で、それから逆にされた順序であることに注意すべきである。
【０２２７】
最後に、シーケンスＦは、所定の流れまたは送信機に特有な実数値のＲＳを常に与える逆の高速フーリエ変換（ＩＦＦＴ）に通される。
【０２２８】
一つのＲＳを用いて、Δ−１まで、流れまたは送信機は、特定されることができる。
ＭＡＣ層は、２の累乗であるＮＲＳによって示されるように、より多くの流れまたは送信機のためにＰＨＹ  ＳＡＰを通してより多くのＲＳｓを加える。
このように、ＮRS＊（Δ−１）まで、流れは特定されることができる。
ｉ＝ａ＊（Δ−１）としてのｉ本目の流れまたは送信機の識別子を分解する、＋ｂはｂ＜Δ−１でそこである。
それから、くしシフトは、Ｓ＝ｂである、そして、元のＲＳは、ＭｘＭアダマール・マトリックスＨKのａｔｈ列のエントリによるＲＳによる増やされたＲＳである、どこでＭ＝２Ｋ。
ＨKは、ｋ＝ｍ１…Ｋからｋを増加させることによって得られる。
【０２２９】
2020532899.tif 000012
【０２３０】
例に、コミュニケーションデバイスは以下の行為を行うことができる
−周波数領域［例えば送信機（発光体のような）と関連した］［例えば、ＯＣＲに対する依存で；および／または平行に送られるセットまたは流れにコミュニケーションデバイスを送ることの数］で直角である複数の波形を切らしている特定の波形［基準信号］を選んでください；
−および／または、以下の行動の両方とも実行する：
疑似雑音シーケンスＡL［ＡNでも示される］を選んでください［たとえば、疑似雑音シーケンスがシーケンスＡLであるかもしれない使用は、１を付加する）および／または、０［例えば、−０．５ｓがあるシーケンスへの０年代と１ｓがあるシーケンスと＋０．５ｓに変わる］により近い平均価格を持ってくるために、偏り価値をシーケンスに加えてください；
および／または
−セットでコミュニケーションデバイスを送ることの数に関する情報に対する依存のシーケンスへのｎｓｅｒｔゼロ価値または平行に送られる流れ例えばそれによって上に向かうものに［−要因デルタによるシーケンスを試してみる］［例えば多くの価格を増やすために］［例えばアップサンプリングされたシーケンスを得るために］；
および／または、周期的に、識別番号［特定の流れまたは送信機を特定している価値Ｓに対する依存で］に対する依存でシーケンスの移されたバージョンでゼロ以外の価格の位置を調節するために、アップサンプリングされたシーケンスを移してください。
【０２３１】
３．１．２．３．ヘッダ・エンコーディングと変調
【０２３２】
３．１．２．３．１  一般
【０２３３】
図３．２の中の構造３２０は、ヘッダの伝送にあてはまる。
スクランブリング３２１は、まとまりがない干渉をランダム化するためにオプションである。
改善されたエラー保護のために、ヘッダは、３２２（複製される）で繰り返されることができる。
３２３をコード化している８Ｂ１０Ｂ境界は、ヘッダにあてはまるかもしれない。
ヘッダ・エンコーディングは、下で定められるように、ＲＳ（３６、２４）を使うかもしれない。
［１２、１３］中で、図３．２が最も低いエラーレートを成し遂げることを明らかにされる線とチャンネル・コーディングの、特定の順序によって。
ＦＥＣ  ３２４（例えば、リード−ソロモンＦＥＣ）に次いで、バイナリの出力コード名（２４ビット）の組織的部分だけは、バランスがとれている。
シーケンス全体のために恒常的な平均的光出力を維持するために、また、バイナリのコード名（３６−２４＝１２ビット）の冗長な部分は、８Ｂ１０Ｂ線エンコーダー３２５を通過するかもしれない。
両方のパーツはマルチプレクサ３２６で連結されるかもしれなくて、２−ＰＡＭ変調のためにシンボルへのビット地図作成者３２７に通されるかもしれない。
最後に、空間プレ・コーダー３２８は、どんな要素（例えば、コミュニケーションデバイスや送信機、そのようなＬＥＤエミッタ）意志がヘッダを出したか、そして、どのようにか選ぶかもしれない。
【０２３４】
３．１．２．３．２  スクランブラ３２１
【０２３５】
急ぐことは、ＰＨＹ  ＳＡＰを通してＭＡＣ層によって定義されることができる。
使われるならば、急ぐことは所定のデータストリームのために独特の疑似乱数バイナリのシーケンス（ＰＲＢＳ）に基づく。
【０２３６】
３．１．２．３．３  ラインエンコーダー３２３
３．１．２．３．３  Ｌｉｎｅ  Ｅｎｃｏｄｅｒ  ３２３
【０２３７】
ヘッダでは、線エンコーダーは、８Ｂ１０Ｂコードを使用する。
８Ｂ１０Ｂエンコーディングのために、ＡＮＳＩ／ＩＮＣＩＴＳ  ３７３と付録３を見てください）。
【０２３８】
３．１．２．３．４  ＲＳ（３６、２４）コード
【０２３９】
ＲＳ（３６、２４）エンコーダーとデコーダーを造るために、８Ｂ１０Ｂ線コーディングの出力のために、１０のシンボル幅が、使われる。
したがって、発電機多項式ｘ１０＋ｘ３＋１が使われる。
スケーリング要因は、０と等しい１と発電機スタートである。
【０２４０】
３．１．２．３．５  シンボルへのビット・マッピング３２７
【０２４１】
シンボルへのビット・マッピングは、２−ＰＡＭに基づく。
それぞれ、ビットが１つのシンボルの上へマップされる｛０、１｝｛０、１｝各々の入力。
それから、０．５の一定値は、出力コロンビア特別区を自由にするために引かれる。
変調振幅とＬＥＤの偏りをセットすることは、光学フロントエンドによる。
【０２４２】
３．１．２．３．６  ヘッダ３２８のための空間プレコーダ
【０２４３】
空間プレコーダーは、ペイロードのために同じかもしれないと、セクション３．１．２．４．７が参照される。
【０２４４】
３．１．２．４  ＰＨＹペイロード
【０２４５】
３．１．２．４．１  一般
【０２４６】
図３．３の中の構造３３０はペイロードの伝送にあてはまるかもしれない。そして、データフレームの他のそれはＭＡＣ層によって定義される支配と管理情報も含むかもしれない。
【０２４７】
３３１で急ぐことは、まとまりがない干渉をランダム化するためにオプションである。
８Ｂ１０Ｂ線コーディング３３２は、最初にあてはまるかもしれない。
ＦＥＣ  ３３３のために、ペイロードは、下で定められるように、ＲＳ（２５６、２４８）コードを使用する。
［１２、１３］線とチャンネルのコーディングが最も低いエラーレートを成し遂げるという、特定の命令によって。
ＦＥＣに次いで、バイナリの出力コード名（２４８ビット）の組織的部分だけは、バランスがとれている。
恒常的な平均的光出力を維持するために、また、バイナリの冗長な部分が語（２５６−２４８＝８ビット）をコード化すること、終わりまで時代遅れで、８Ｂ１０Ｂはエンコーダー３３５に線をひく。
両方のパーツはマルチプレクサ３３６で連結されるかもしれなくて、２−ＰＡＭが一般的に用いられるシンボルへのビット地図作成者３３７に通されるかもしれない。
取るに足らないモードＨＣＭ（１、１）以外のアダマール・コード化変調（ＨＣＭ）３３７ａと結合して、Ｍ？２によるＭ−ＰＡＭが使われることができる間、８Ｂ１０Ｂ線コーディングが使われない。
空間プレコーダー３３８は、送信機意志のどんなセットがペイロードを出したか、そして、どのようにか最後に選ぶかもしれない。
ＨＣＭでＰＡＭのパラメータＭと使い古したコードの数を変えることによって、脈うたれた変調ＰＨＹは、データ信号速度を様々な光チャネル状況に適応させることができる。
【０２４８】
３．１．２．４．２  スクランブラ
【０２４９】
急ぐことは、ＰＨＹ  ＳＡＰを通してＭＡＣ層によって定義されることができる。
使われるならば、急ぐことは所定のデータストリームのために独特の疑似乱数バイナリのシーケンス（ＰＲＢＳ）に基づく。
【０２５０】
３．１．２．４．３．  ＲＳ（２５６、２４８）コード
【０２５１】
ＲＳ（２５６、２４８）エンコーダーとデコーダーを造るために、８Ｂ１０Ｂ線コーディングの出力のために、１０のシンボル幅が、使われる。
したがって、発電機多項式ｘ１０＋ｘ３＋１が使われる。
スケーリング要因は、０と等しい１と発電機スタートである。
【０２５２】
３．１．２．４．４  ラインエンコーダー
【０２５３】
２−ＰＡＭとＨＣＭ（１、１）と結合して、線エンコーダーは、８Ｂ１０Ｂを使いる。
８Ｂ１０Ｂエンコーディングのために、ＡＮＳＩ／ＩＮＣＩＴＳ  ３７３と［３］を見てください。
ＨＣＭが取るに足らないＨＣＭ（１、１）モード以外に中で使われる場合に備えて、線コーディングは１Ｂ１Ｂ（すなわち非能動化される）にセットされる。
【０２５４】
1.1.2.4.5.シンボルへのビット地図作成者
【０２５５】
シンボルへのビット地図作成者は、Ｍレベルまで２でＰＡＭを使っている。
２レベル、各々の入力ビットは、１つのシンボルで図にされる。
シンボルは、レベルにマップされる｛０、１｝、それぞれ、｛０、１｝。
４レベルで、２ビット連続は、シンボルに組み込まれる。
シンボルは、レベルにマップされる｛００、０１、１０、１１｝ために。
【０２５６】
2020532899.tif 000013
【０２５７】
それぞれ。
【０２５８】
任意のＭ（レベルを合図するシンボル・マップ）で
【０２５９】
2020532899.tif 000014
【０２６０】
Ｍ＝２、４、８と１６のための灰色のマッピング・テーブルは、アネックス２で見つかる）。
０．５の一定値は、地図作成者出力コロンビア特別区を自由にするために、常に引かれる。
変調振幅とＬＥＤの偏り信号をセットすることは、アナログ光学フロントエンドによる。
【０２６１】
３．１．２．４．６．  アダマール・コード化変調
【０２６２】
アダマール・コード化変調（ＨＣＭ）は、シンボルへのビット地図作成者の拡張である。
線コーディングの必要を取り除く他に、コードの可変的な数と共に、チャンネルのハイパス特徴にもかかわらず、ＨＣＭは可変的なＭでＭ−ＰＡＭを使用可能にする。
【０２６３】
図３．４で示すように、ＨＣＭ、チェーン、アダマール・マトリックスによるＮデータシンボル（そこで、２の累乗である）のベクトルは、同じくらい速いウォルシュ−アダマール変換（ＦＷＨＴ）を意味した。
［８］に記載されているように、
【０２６４】
ＨＣＭ信号
2020532899.tif 000015
は、データシーケンスから生成される。
【０２６５】
2020532899.tif 000016
【０２６６】
2020532899.tif 000017
【０２６７】
2020532899.tif 000018
【０２６８】
表２は、線コーディング、ＦＥＣ、ＨＣＭとＯＣＲを結合することによって、考えられる伝達モードをリストする。
表１と結合して、伝達モードごとにデータ信号速度を得ることが、できる。
たとえば、２−ＰＡＭによるＲＳ（２５６、２４８）を使用して、１６−ＰＡＭ、ＨＣＭのためのｍ＝１５とｎ＝０（１００ＭＨｚ）でＲＳ（２５６、２４８）を使うことが３６３Ｍｂｉｔ／ｓを与える間、８Ｂ１０Ｂとｎ＝４（６．２５ＭＨｚ）は４．８Ｍｂｉｔ／ｓを与える。
【０２６９】
2020532899.tif 000019
2020532899.tif 000020
【０２７０】
３．１．２．４．７
ペイロードのための空間プレコーダ
【０２７１】
一般に、空間先にコーダーは、時間−領域ＲＳを使っていて副搬送波的なとき、シンボル−賢者に手術を施しているマトリックス−ベクトル演算Ｐ・ｘである、周波数領域ＲＳを使うとき。
【０２７２】
ＦＴ＝０（調査フレーム）ならば、送信機はすべてのものを含むＮＥＲＳｘ１ベクトルＰでヘッダ・シンボルｘの１ｘ１スカラー流れを増やする。
すべての送信機（および／またはコミュニケーションデバイス）は、同じヘッダ情報（世界的な伝達）を放送した。
インフラ・ネットワークの熟練のコーディネーターは、すべての送信機にヘッダ情報を送りる。
すべての送信機は、同期の方法を入れる。
どのように複数の分散ＯＷＣ送信機の同期を認識するかは、この標準の機会で外出している。
【０２７３】
ＦＴ＝１（輸送フレーム）ならば、送信機は調整された伝達集団のすべてのアクティブ送信機とどこかほかのゼロのためにものを含むＮＥＲＳｘ１プレコーディング・ベクトルＰでヘッダ情報シンボルｘの１ｘ１流れを増やす。
集団のすべての送信機（および／またはコミュニケーションデバイス）は、同じヘッダ情報（地域の伝達）を放送した。
インフラ・ネットワークの熟練のコーディネーターは、調整された伝達集団の中にすべてのアクティブ送信機にヘッダ情報を送る。
すべての送信機は、同期の方法を入れる。
どのように複数の分散ＯＷＣ送信機の同期を認識するかは、この標準の機会で外出している。
【０２７４】
アネックス１）偽雑音シーケンスＡＮ
以下の塩基配列は、通常、一組のゴールド配列を形成するのに用いられるｋ＝１…１１による長さＮ＝２ｋの２つの母シーケンスから最初のものである。
Ａ1＝  ［１］
Ａ2 ＝  ［０  １］
Ａ4 ＝  ［０  １  ０  １］
Ａ8 ＝  ［０  ０  １  ０  １  １  ０  １］
Ａ16 ＝  ［０  ０  ０  １  ０  １  ０  ０  １  １  ０  １  １  １  ０  １］
Ａ32 ＝  ［０  ０  ０  ０  １  １０  ０  １  ０  １  １  ０  １  １  １  １  ０  １  ０  １  ０  ０  ０  １  ０  ０  １  １  １  ０  １］
Ａ64 ＝  ［０  ０  ０  ０  ０  １  ０  １  ０  １  ０  ０  １  １  ０  ０  １  ０  ０  ０  １  ０  ０  １  ０  １  １  ０  １  １  ０  ０  ０  １  １  １  ０  １  ０  ０  ０  ０  １  １  ０  １  ０  １  １  １  ０  ０  １  １  １  １  ０  １  １  １  １  １  ０  １］
Ａ128 ＝  ［  ０  ０  ０  ０  ０  ０  １  １  １  ０  ０  ０  １  ０  ０  １  １  １  ０  １  ０  １  １  ０  １  ０  ０  ０  ０  ０  １  ０  １  ０  １  ０  １  １  １  １  ０  １  ０  ０  １  ０  ０  ０  ０  １  １  ０  ０  ０  １  １  ０  １  ０  １  ０  ０  １  １  ０  ０  １  １  １  １  １  ０  ０  １  ０  ０  １  ０  １  ０  ０  ０  １  ０  １  １  １  ０  ０  １  １  ０  １  １  １  ０  １  １  １  １  １  １  ０  １  １  ０  １  １  ０  ０  １  ０  １  １  ０  ０  ０  ０  １  ０  ０  ０  １  １  １  １  ０  １］
【０２７５】
Ａ256 ＝  ［  ０  ０  ０  ０  ０  ０  ０  １  １  ０  １  １  １  １  ０  １  ０  １  １  ０  ０  ０  ０  ０  １  ０  １  ０  １  ０  １  ０  ０  ０  １  １  １  １  １  ０  ０  １  １  １  ０  １  ０  １  ０  ０  １  １  ０  ０  １  １  ０  １  ０  ０  ０  ０  ０  ０  １  ０  ０  ０  ０  １  １  ０  ０  １  ０  ０  ０  １  ０  ０  ０  １  １  ０  １  ０  １  ０  １  １  ０  １  ０  １  １  １  ０  １  １  ０  １  ０  ０  １  ０  １  １  １  ０  ０  １  １  ０  ０  ０  １  １  ０  ０  ０  ０  １  １  １  ０  ０  １  ０  ０  １  １  １  １  ０  １  １  １  ０  １  ０  ０  ０  １  ０  １  ０  ０  ０  ０  １  ０  ０  １  ０  ０  ０  ０  ０  １  １  １  １  ０  ０  １  ０  １  １  ０  ０  １  ０  １  ０  ０  １  ０  ０  １  ０  １  ０  １  １  １  １  １  ０  １  １  ０  ０  ０  １  ０  ０  １  １  ０  １  １  ０  １  １  ０  ０  １  １  １  １  １  １  ０  ０  ０  １  ０  １  １  ０  １  １  １  ０  ０  ０  １  １  １  ０  １  １  １  １  １  １  １  ０  １  ０  ０  １  １  １  ０  ０  ０  ０  １  ０  １  １  １  １  ０  １］
【０２７６】
Ａ512 ＝  ［  ０  ０  ０  ０  ０  ０  ０  ０  １  １  １  １  ０  ０  ０  ０  １  ０  ０  ０  １  １  １  １  ０  １  ０  ０  １  １  ０  ０  １  ０  ０  １  ０  ０  ０  ０  １  ０  １  １  １  １  ０  ０  ０  １  １  ０  ０  １  １  １  １  ０  １  １  ０  １  １  １  ０  １  ０  １  ０  ０  ０  １  ０  １  ０  ０  ０  ０  １  １  ０  １  １  ０  １  ０  ０  ０  １  １  ０  ０  ０  １  １  １  １  １  １  ０  ０  ０  １  ０  ０  ０  １  ０  １  １  ０  ０  ０  ０  １  ０  １  ０  １  １  ０  １  ０  １  １  １  １  １  １  ０  １  ０  １  ０  １  ０  １  ０  ０  ０  ０  ０  １  ０  １  ０  ０  １  ０  １  １  １  １  １  ０  ０  １  ０  ０  ０  １  ０  ０  １  ０  ０  １  ０  １  ０  ０  １  １  １  １  １  ０  １  ０  ０  ０  １  ０  ０  ０  ０  ０  １  １  １  ０  ０  ０  ０  １  １  ０  ０  １  ０  １  １  ０  ０  １  ０  １  ０  ０  ０  １  １  １  ０  ０  １  ０  １  １  １  ０  １  ０  ０  ０  ０  ０  ０  ０  １  ０  １  １  ０  １  ０  ０  １  １  １  ０  １  ０  １  １  ０  ０  １  １  １  ０  ０  １  １  １  １  １  １  １  ０  ０  １  １  ０  ０  １  １  ０  １  ０  １  ０  ０  １  １  ０  １  １  ０  ０  ０  ０  ０  ０  １  ０  ０  １  ０  １  １  ０  １  １  ０  １  １  ０  ０  １  ０  ０  ０  ０  ０  ０  １  １  ０  １  ０  ０  １  ０  １  ０  １  １  １  １  ０  １  ０  １  １  １  ０  １  １  ０  ０  ０  １  ０  ０  １  １  ０  １  ０  ０  ０  ０  １  ０  ０  １  １  １  １  ０  ０  １  ０  １  ０  １  ０  １  １  ０  ０  ０  １  １  ０  １  １  １  １  ０  ０  １  １  １  ０  １  １  １  １  ０  １  １  １  １  １  １  １  １  ０  １  １  １  ０  １  １  １  ０  ０  １  １  ０  １  １  １  ０  ０  ０  １  ０  １  ０  １  ０  ０  １  ０  ０  １  １  １  ０  ０  ０  １  １  １  ０  １  １  ０  １  ０  １  ０  １  １  １  ０  ０  １  ０  ０  １  １  ０  ０  ０  ０  ０  １  １  ０  ０  ０  ０  １  １  １  ０  １  ０  ０  １  ０  ０  ０  １  １  ０  １  ０  １  １  ０  １  １  １  １  １  ０  １  １  ０  ０  １  １  ０  ０  ０  １  ０  １  １  １  ０  ０  ０  ０  ０  １  ０  ０  ０  ０  １  １  １  １  １  ０  １］
【０２７７】
Ａ1024 ＝  ［０  ０  ０  ０  ０  ０  ０  ０  ０  １  １  １  ０  ０  ０  １  １  １  ０  １  １  ０  ０  ０  １  ０  ０  １  １  ０  １  ０  １  ０  ０  ０  １  ０  ０  ０  ０  １  ０  １  ０  １  １  １  ０  ０  ０  ０  １  ０  １  １  ０  １  ０  １  ０  １  １  １  １  １  ０  １  ０  ０  ０  ０  ０  ０  ０  ０  １  ０  １  ０  １  ０  １  ０  １  ０  ０  ０  ０  １  ０  １  １  １  １  ０  ０  ０  １  ０  １  １  ０  １  １  １  ０  ０  １  １  ０  １  ０  ０  １  ０  １  ０  ０  １  １  ０  ０  ０  ０  １  ０  １  ０  ０  １  １  １  ０  ０  １  １  ０  ０  ０  ０  ０  ０  １  １  ０  １  ０  １  ０  １  ０  １  １  ０  ０  １  １  ０  ０  １  １  ０  １  ０  １  １  ０  ０  ０  ０  ０  １  ０  １  １  ０  ０  ０  １  １  １  １  ０  １  １  １  ０  ０  １  ０  ０  １  １  ０  １  １  １  ０  １  ０  １  １  ０  ０  １  ０  ０  ０  ０  １  ０  ０  ０  １  ０  １  ０  １  ０  ０  ０  １  １  ０  ０  １  １  ０  ０  ０  １  ０  ０  ０  １  ０  ０  ０  １  １  ０  ０  ０  １  ０  １  ０  １  １  ０  ０  ０  １  ０  １  １  １  １  １  ０  ０  ０  ０  １  ０  ０  １  ０  ０  ０  １  １  １  １  ０  ０  １  １  １  ０  １  １  ０  １  ０  １  １  ０  １  ０  ０  １  １  ０  ０  １  ０  １  １  １  ０  １  １  １  ０  １  ０  ０  １  ０  １  １  ０  １  ０  ０  ０  １  ０  １  １  ０  ０  １  １  １  ０  １  ０  ０  １  １  １  １  １  １  ０  １  ０  １  １  ０  １  １  ０  １  ０  ０  ０  ０  ０  １  ０  ０  ０  ０  １  １  １  ０  ０  １  １  １  ０  ０  １  ０  ０  ０  １  ０  ０  １  １  １  １  ０  ０  ０  ０  １  １  ０  １  １  ０  ０  ０  １  １  ０  １  ０  ０  １  １  １  ０  １  １  １  １  ０  ０  １  ０  ０  ０  ０  ０  ０  ０  １  １  ０  ０  ０  １  １  １  ０  ０  １  ０  １  ０  １  １  ０  １  ０  １  １  １  １  ０  １  １  １  １  ０  １  １  ０  １  ０  ０  １  ０  ０  ０  ０  ０  １  ０  １  ０  ０  ０  １  １  １  ０  １  ０  ０  ０  １  １  ０  １  １  １  １  ０  ０  ０  ０  ０  １  ０  ０  １  ０  １  ０  １  ０  １  １  １  ０  １  ０  ０  ０  ０  １  ０  ０  １  １  ０  ０  ０  １  １  ０  ０  ０  ０  ０  １  １  １  １  １  ０  ０  ０  １  １  ０  １  １  ０  １  ０  １  ０  ０  １  １  ０  １  ０  ０  ０  ０  １  １  ０  １  ０  ０  ０  １  １  １  １  １  ０  １  ０  １  ０  ０  １  ０  ０  １  １  ０  ０  １  １  １  １  ０  ０  １  ０  １  ０  ０  １  ０  ０  ０  １  ０  １  １  １  ０  １  ０  １  ０  ０  ０  ０  ０  ０  １  ０  １  １  １  ０  ０  ０  １  １  ０  ０  １  ０  ０  ０  １  １  ０  １  ０  １  １  １  ０  ０  １  ０  １  １  １  １  １  １  ０  ０  １  １  ０  １  １  ０  １  １  １  ０  １  １  １  １  １  ０  １  １  ０  ０  １  ０  ０  １  ０  １  １  ０  ０  ０  ０  １  １  ０  ０  １  ０  １  ０  １  ０  ０  １  １  １  １  ０  １  ０  ０  ０  １  ０  ０  １  ０  １  １  １  ０  ０  １  １  １  １  ０  １  １  ０  ０  ０  ０  ０  ０  ０  １  ０  ０  ０  １  １  １  ０  ０  ０  ０  １  １  １  １  １  １  ０  ０  ０  １  ０  ０  １  ０  ０  １  １  １  ０  １  ０  １  １  １  ０  １  １  ０  ０  １  １  ０  １  １  １  １  １  ０  ０  １  ０  １  １  ０  １  １  ０  ０  ０  ０  １  ０  ０  ０  ０  ０  １  １  １  ０  １  ０  １  ０  １  ０  ０  １  ０  １  １  １  １  ０  １  ０  １  １  １  １  １  １  １  ０  １  ０  ０  １  ０  ０  １  ０  ０  ０  ０  １  １  ０  ０  ０  ０  １  １  １  ０  １  １  １  ０  ０  ０  ０  ０  ０  １  ０  ０  １  １  １  ０  ０  ０  １  ０  １  ０  ０  １  ０  １  ０  １  １  １  １  ０  ０  １  １  ０  ０  １  ０  ０  １  １  １  １  １  ０  ０  １  １  １  １  １  １  １  １  ０  ０  １  ０  ０  １  ０  ０  １  ０  １  ０  ０  ０  １  ０  １  ０  ０  ０  ０  １  １  １  １  ０  １  ０  １  ０  １  １  ０  １  １  １  １  ０  １  ０  ０  １  １  ０  １  １  ０  ０  １  １  １  １  １  ０  １  １  １  ０  １  １  ０  １  １  １  １  １  １  ０  １  １  １  １  １  １  １  １  １  ０  １  １  ０  １  １  ０  １  １  ０  ０  １  ０  １  １  ０  ０  １  ０  １  ０  ０  ０  ０  ０  １  １  ０  ０  １  １  １  ０  ０  ０  ０  ０  １  １  ０  １  １  １  ０  ０  ０  １  ０  ０  ０  ０  ０  ０  １  １  １  １  ０  ０  ０  １  １  １  １  １  １  １  ０  １］
【０２７８】
アネックス２）Ｍ−ＰＡＭのためのグレイ・コード
【０２７９】
2020532899.tif 000021
【０２８０】
2020532899.tif 000022
2020532899.tif 000023
【０２８１】
2020532899.tif 000024
【０２８２】
2020532899.tif 000025
2020532899.tif 000026
【０２８３】
アネックス３）ＨＣＭのためのオーバーヘッド
表３は、８Ｂ１０線エンコーディングに比較においての異なる値のために、諸経費をリストする。
Ｎのより高い値が低いデータ信号速度を可能にすることができたが、同期はこれらの対応して低いＳＮＲレベルで道に迷いる。
そのような場合、ＯＣＲを減らすことはよりよい。
結果として、ＨＣＭ（ＮＨＣＭ、１６）が、平行したＮＨＣＭ＝１…１５で送られる可変的な数のコードで使われる。
【０２８４】
2020532899.tif 000027
【０２８５】
４．他の例
【０２８６】
通常、例はプログラム指導によるコンピュータープログラム製品として実行されるかもしれない。そして、コンピュータープログラム製品がコンピュータで動くとき、プログラム指導が方法の１つを実行するために動いている。
たとえばプログラム指導は、機械読み取り可読媒体に保存されるかもしれない。
【０２８７】
他の例は、ここに記述されて、機械読み取り可読輸送車に格納される方法の１つを実行するために、コンピュータープログラムから成る。
【０２８８】
言い換えると、コンピュータープログラムがコンピュータで動くとき、方法の例は、したがって、方法の実行している一つのための指示がここに記述したプログラムがあるコンピュータープログラムである。
【０２８９】
方法の更なる例は、したがって、その上に記録されて、ここに記述される方法の１つを実行するためにコンピュータープログラムから成っているデータ記憶媒体媒体（またはデジタル記憶媒体またはコンピュータで読取り可能な媒体）である。
データ記憶媒体媒体、デジタル記憶媒体または記録された媒体は、具体的なやｎｏｎ？移行人（無形で一時的である信号よりもむしろ）である。
【０２９０】
方法の更なる例は、したがって、ここに記述される方法の１つを実行するためにコンピュータープログラムを意味しているデータストリームまたは一連の信号である。
たとえばデータストリームまたは信号のシーケンスはデータ通信接続を通して移されるかもしれない（たとえばインターネットによって）。
【０２９１】
更なる例は、処理手段（たとえばコンピュータまたはここに記述される方法の１つを実行しているプログラム可能な論理デバイス）から成る。
【０２９２】
更なる例は、ここに記述される方法の１つを実行するためにその上にコンピュータープログラムをインストールしていたコンピュータから成る。
【０２９３】
更なる例は、レシーバーにここに記述される方法の１つを実行するためにコンピュータープログラムを移している（たとえば、電子的に、または、光学的に）装置またはシステムから成る。
レシーバーは、たとえば、コンピュータ、モバイル機器、メモリデバイスまたはその種の他のものであるかもしれない。
装置またはシステムは、たとえば、コンピュータープログラムをレシーバーに譲渡するために、ファイル・サーバから成るかもしれない。
【０２９４】
若干の例に、プログラム可能な論理デバイス（たとえば、フィールド・プログラム可能なゲート・アレイ）は、ここに記述される方法の機能の一部もしくは全部を実行するのに用いられるかもしれない。
若干の例に、フィールド・プログラム可能なゲート・アレイは、ここに記述される方法の１つを実行するために、マイクロプロセッサーと協力するかもしれない。
通常、方法はどんな適切なハードウェア装置ででも実行されるかもしれない。
【０２９５】
上記の記述された例は、上述の主義のために、単に実例となるだけである。
準備の修正変更とここに記述される詳細が明らかだろうものと理解される。
したがって、間近に迫った主張の範囲で、そして、この中の例の説明と説明のために提示される特定の詳細によってでなく制限されることは、意図である。
【０２９６】
等しいか等価機能性による等しいか等しい要素または要素は、たとえ異なる人物に起こるとしても、等しいか等価参照番号によって、以下の説明で意味される。
【符号の説明】
【０２９７】
１１０      コミュニケーションデバイス
１２０      コミュニケーションデバイス
１４０      コミュニケーションデバイス
１５０      方法
１７１      波形
２１２      ドメインマスター
２１４      全ての中継終点
２１６      全ての終点
２２１      連結性マトリックス
２３０      完全なＣＭ
３２０      構造
３３０      構造
【図１．１】
2020532899.tif 000030
【図１．２】
2020532899.tif 000031
【図１．３】
2020532899.tif 000032
【図１．４】
2020532899.tif 000033
【図１．４ａ】
2020532899.tif 000034
【図１．５】
2020532899.tif 000035
【図１．６】
2020532899.tif 000036
【図２．１】
2020532899.tif 000037
【図２．２】
2020532899.tif 000038
【図２．３】
2020532899.tif 000039
【図２．４】
2020532899.tif 000040
【図２．５】
2020532899.tif 000041
【図２．６】
2020532899.tif 000042
【図２．７】
2020532899.tif 000043
【図２．８】
2020532899.tif 000044
【図２．９】
2020532899.tif 000045
【図３．１】
2020532899.tif 000046
【図３．２】
2020532899.tif 000047
【図３．３】
2020532899.tif 000048
【図３．４】
2020532899.tif 000049
【国際調査報告】
2020532899.tif 000050
2020532899.tif 000051
2020532899.tif 000052
2020532899.tif 000053
2020532899.tif 000054